(57)【特許請求の範囲】
【請求項１】
入力されたコンテンツデータに含まれる映像情報を、単独で再生可能な最小の画像単位であるグループであって、自らの画像のみで再生されるフレーム画像と、他のフレーム画像から予測して再生されるフレーム画像と、から構成される１又は複数の前記グループからなるデータ形式に圧縮するデータ圧縮手段と、
前記コンテンツデータのコンテンツ制作者の意図する特殊再生を制御する特殊再生制御情報を生成する生成手段と、
前記圧縮された映像情報に係る前記グループ内に前記生成された特殊再生制御情報を組み込むデータ組込手段と、
前記特殊再生制御情報が組み込まれ、前記圧縮された映像情報を少なくとも含むコンテンツデータを送信する送信手段と、を備えることを特徴とするデータ送信装置。
【請求項２】
請求項１に記載のデータ送信装置において、
前記データ組込手段が、前記特殊再生制御情報を前記グループ内に組み込む際に、前記特殊再生制御情報が前記コンテンツデータに存在することを示す識別データを組み込むことを特徴とするデータ送信装置。
【請求項３】
請求項１または２に記載のデータ送信装置において、
前記生成手段によって生成される特殊再生制御情報には、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが含まれることを特徴とするデータ送信装置。
【請求項４】
請求項１乃至３の何れか一項に記載のデータ送信装置において、
前記生成手段が、複数の前記グループ毎に当該各グループに属する前記フレーム画像の特殊再生を制御する特殊再生制御情報を２以上生成するとともに、前記各特殊再生制御情報に他の特殊再生制御情報の配設位置を示す位置情報を付加し、前記組込手段が、前記生成された特殊再生制御情報を各前記グループ内に２以上組み込むことを特徴とするデータ送信装置。
【請求項５】
請求項１乃至４の何れか一項に記載のデータ送信装置から送信されたコンテンツデータを受信して再生するデータ受信装置において、
コンテンツ制作者の意図する特殊再生を制御する特殊再生制御情報が組み込まれ、前記コンテンツデータの再生制御を行う前記再生制御情報とともに、１又は複数のグループからなるデータ形式に圧縮された映像情報を少なくとも含むコンテンツデータを受信する受信手段と、
前記圧縮された映像情報に係る前記グループ内に組み込まれた特殊再生制御情報を取得する取得手段と、
前記取得した特殊再生制御情報に基づいて、前記受信した圧縮された映像情報を少なくとも復号するとともに、前記コンテンツデータの特殊再生を行う再生手段と、
を備えたことを特徴とするデータ受信装置。
【請求項６】
請求項５に記載のデータ受信装置において、
前記コンテンツデータに前記特殊再生制御情報が存在することを示す識別データが含まれている場合であって、前記取得手段が、前記特殊再生制御情報を取得する際に、前記識別データを取得することを特徴とするデータ受信装置。
【請求項７】
請求項５または６に記載のデータ受信装置において、
前記特殊再生制御情報に、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが含まれている場合であって、前記取得手段が、前記特殊再生制御情報を取得する際に、前記制御情報を取得し、前記再生制御手段が、前記取得した制御情報に基づいて特殊再生を行うことを特徴とするデータ受信装置。
【請求項８】
請求項５乃至７の何れか一項に記載のデータ受信装置において、
複数の前記グループに属するフレーム画像の特殊再生を制御する前記特殊再生制御情報が、前記各グループ毎に１または２以上組み込まれ、当該各特殊再生制御情報に他の特殊再生制御情報の配設位置を示す位置情報が付加されている場合であって、前記再生手段が、前記各グループ毎に組み込まれた前記各特殊再生制御情報を前記各位置情報に基づいて参照しつつ、特殊再生を行うことを特徴とするデータ受信装置。
【請求項９】
コンテンツデータに含まれる映像情報が、単独で再生可能な最小の画像単位であるグループであって、自らの画像のみで再生されるフレーム画像と、他のフレーム画像から予測して再生されるフレーム画像と、から構成される１又は複数の前記グループからなるデータ形式に圧縮されて記録される記録領域を有し、当該グループに対応する記録領域には、前記コンテンツデータのコンテンツ制作者の意図する特殊再生を制御する特殊再生制御情報が記録されることを特徴とする記録媒体。
【請求項１０】
請求項９に記載の記録媒体において、
前記グループに対応する記録領域には、前記特殊再生制御情報が当該コンテンツデータに存在することを示す識別データが記録されることを特徴とする記録媒体。
【請求項１１】
請求項９または１０に記載の記録媒体において、
前記グループに対応する記録領域には、特殊再生時の前記フレーム画像の再生順または前記各フレーム画像の再生時間の少なくとも何れかを制御する制御情報が記録されることを特徴とする記録媒体。
【請求項１２】
請求項９乃至１１の何れか一項に記載の記録媒体において、
複数の各前記グループに属するフレーム画像の特殊再生を制御する前記特殊再生制御情報が、前記各グループ毎に２以上組み込まれる場合であって、前記グループに対応する記録領域には、当該各特殊再生制御情報に他の特殊再生制御情報の配設位置を示す位置情報を有する当該特殊再生制御情報が記録されることを特徴とする記録媒体。
【請求項１３】
入力されたコンテンツデータに含まれる映像情報を、単独で再生可能な最小の画像単位であるグループであって、自らの画像のみで再生されるフレーム画像と、他のフレーム画像から予測して再生されるフレーム画像と、から構成される１又は複数の前記グループからなるデータ形式に圧縮するデータ圧縮処理工程と、
前記コンテンツデータのコンテンツ制作者の意図する特殊再生を制御する特殊再生制御情報を生成する生成処理工程と、
前記圧縮された映像情報に係る前記グループ内に前記生成された特殊再生制御情報を組み込むデータ組込処理工程と、
前記特殊再生制御情報が組み込まれ、前記圧縮された映像情報を少なくとも含むコンテンツデータを送信する送信処理工程と、
を含むことを特徴とするデータ送信方法。
【請求項１４】
請求項１３に記載のデータ送信方法において、
前記データ組込処理工程においては、前記特殊再生制御情報を前記グループ内に組み込む際に、前記再生制御情報が前記コンテンツデータに存在することを示す識別データを組み込むことを特徴とするデータ送信方法。
【請求項１５】
請求項１または２に記載のデータ送信方法において、
前記生成処理工程によって生成される特殊再生制御情報には、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが含まれることを特徴とするデータ送信方法。
【請求項１６】
請求項１３乃至１５の何れか一項に記載のデータ送信方法において、
前記生成処理工程においては、複数の前記グループ毎に当該各グループに属する前記フレーム画像の特殊再生を制御する特殊再生制御情報を２以上生成するとともに、前記各特殊再生制御情報に他の特殊再生制御情報の配設位置を示す位置情報を付加し、前記組込処理工程においては、前記生成された特殊再生制御情報を各前記グループ内に２以上組み込むことを特徴とするデータ送信方法。
【請求項１７】
請求項１３乃至１６の何れか一項に記載のデータ送信方法によって送信されたコンテンツデータを受信して再生するデータ受信方法において、
コンテンツ制作者の意図する特殊再生を制御する特殊再生制御情報が組み込まれ、前記コンテンツデータの再生制御を行う前記再生制御情報とともに、１又は複数のグループからなるデータ形式に圧縮された映像情報を少なくとも含むコンテンツデータを受信する受信処理工程と、
前記圧縮された映像情報に係る前記グループ内に組み込まれた特殊再生制御情報を取得する取得処理工程と、
前記取得した特殊再生制御情報に基づいて、前記受信した圧縮された映像情報を少なくとも復号するとともに、当該コンテンツデータの特殊再生を行う再生処理工程と、
を含むことを特徴とするデータ受信方法。
【請求項１８】
請求項１７に記載のデータ受信方法において、
前記コンテンツデータに前記特殊再生制御情報が存在することを示す識別データが含まれている場合であって、前記取得処理工程においては、前記特殊再生制御情報を取得する際に、前記識別データを取得することを特徴とするデータ受信方法。
【請求項１９】
請求項１７または１８に記載のデータ受信方法において、
前記特殊再生制御情報に、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが制御する制御情報が含まれている場合であって、前記取得処理工程においては、前記特殊再生制御情報を取得する際に、前記制御情報を取得し、前記再生制御処理工程においては、前記取得した制御情報に基づいて特殊再生を行うことを特徴とするデータ受信方法。
【請求項２０】
請求項１７乃至１９の何れか一項に記載のデータ受信方法において、
複数の前記グループに属するフレーム画像の特殊再生を制御する前記特殊再生制御情報が、前記各グループ毎に１または２以上組み込まれ、当該各特殊再生制御情報に他の特殊再生制御情報の配設位置を示す位置情報が付加されている場合であって、前記再生処理工程においては、前記各グループ毎に組み込まれた前記各特殊再生制御情報を前記各位置情報に基づいて参照しつつ、特殊再生を行うことを特徴とするデータ受信方法。
【請求項２１】
請求項１乃至４の何れか一項に記載のデータ送信装置において、
前記特殊再生制御情報は、互いに異なる再生モード毎に規定されることを特徴とするデータ送信装置。
【発明の詳細な説明】
【０００１】
【発明の属する技術分野】
本発明は、デジタル画像データのデータ送信装置、データ受信装置およびデジタル画像データを記録する記録媒体の技術分野に関し、特に、デジタル画像データのサムネイル再生などの特殊再生に関する。
【０００２】
【従来の技術】
近年、光ディスクの分野における高記録容量化の傾向が顕著であり、これに伴って一本の映画等を圧縮した上で記録する光ディスク（いわゆるＤＶＤ（Digital Versatile Disc））が一般化しつつある。
【０００３】
現在、このＤＶＤにデータを記録するＤＶＤ規格は、主に、動画圧縮方式としては、ＭＰＥＧ（Moving  Picture  Expert  Group）２方式、音声圧縮方式としては、ＡＣ（Audio  Compression）−３圧縮方式、または、ＭＰＥＧオーディオ方式などを採用されており、これらの圧縮されたデータは、映画などの画像を再生する際に表示される字幕表示などのランレングス圧縮された副画像データおよびナビパックと称される映像の早送り再生や再生表示態様を制御する制御情報とともに、パック／パケット構造化されて記録および伝送されるようになっている。
【０００４】
また、近年、放送衛星や通信衛星などの人工衛星を介して、デジタル化したテレビジョン信号を伝送し、各家庭においてこれを受信してテレビ番組を視聴するＢＳ（Broadcasting Satellite）デジタル放送やＣＳ（Communication Satellite）デジタル放送などと称されるデジタル放送システムが運用されている。
【０００５】
このような放送システムにおいても、画像データを圧縮して送信するために、上述のようなＭＰＥＧ２方式が採用されており、特に、デジタル放送では、複数の番組の伝送を可能とするために比較的に短い伝送単位によって時分割多重して伝送を行うトランスポートストリーム方式で伝送されるようになっている。
【０００６】
【発明が解決しようとする課題】
しかしながら、従来、このようなプログラムストリームまたはトランスポートストリームにあっては、このユーザ情報エリアまたはプライベートユーザエリアにビデオコンテンツの制作者の意図による特殊再生を制御するデータを記録されるよう規格化されていなかったため、部分再生やサムネイル用の再生制御などのビデオコンテンツの制作者の意図による特殊再生を制御する情報を的確に伝送することができず、最終的に制作者の意図による特殊再生を行うことができなくなるという問題を有していた。
【０００７】
また、一般的に、ＭＰＥＧ２方式では、コンテンツデータの再生制御を行う場合には、ナビパックなどの制御情報エリアに格納するようになっているため、この制御エリアに記録したとしても、ビデオコンテンツのフォーマットを変換する場合や転送を行う場合に、この制御情報まで的確に変換および転送されない場合もあるので、当該コンテンツ制作者の意図による特殊再生を制御する特殊再生制御情報が伝送されず、変換されたコンテンツデータまたは伝送されたコンテンツデータにおいて、特殊再生を行うことができないという問題が生じていた。
【０００８】
本発明は、上記の各問題点に鑑みて為されたもので、その課題は、プログラムストリームまたはトランスポートストリームによって制作者が意図した特殊再生の情報を伝送することできるとともに、フォーマット変換または伝送過程において当該特殊再生の情報が的確に変換または伝送されるデータ送信装置、データ受信装置および当該特殊再生の情報を記録する記録媒体を提供することにある。
【０００９】
【課題を解決するための手段】
上記の課題を解決するために、請求項１に記載の発明は、入力されたコンテンツデータに含まれる映像情報を、単独で再生可能な最小の画像単位であるグループであって、自らの画像のみで再生されるフレーム画像と、他のフレーム画像から予測して再生されるフレーム画像と、から構成される１又は複数の前記グループからなるデータ形式に圧縮するデータ圧縮手段と、前記コンテンツデータのコンテンツ制作者の意図する特殊再生を制御する特殊再生制御情報を生成する生成手段と、前記圧縮された映像情報に係る前記グループ内に前記生成された特殊再生制御情報を組み込むデータ組込手段と、前記特殊再生制御情報が組み込まれ、前記圧縮された映像情報を少なくとも含むコンテンツデータを送信する送信手段と、を備える構成を有している。
【００１０】
この構成により、請求項１に記載の発明では、再生制御情報とともに複数のグループに圧縮されたコンテンツデータに、このコンテンツ制作者の意図する特殊再生制御情報を組み込むとともに、組み込まれたコンテンツデータを送信する。
【００１１】
したがって、コンテンツデータの受信側において、圧縮されたコンテンツデータを復号するとともに、特殊再生を行う際に、この特殊再生制御情報に基づいてコンテンツデータの特殊再生を行うよう制御すれば、サムネイルを利用した再生や部分再生または早送り再生など様々な特殊再生を行うことができるとともに、このような特殊再生を行う場合であっても、コンテンツ制作者の意図を反映させることができる。
【００１２】
また、データ圧縮後のコンテンツデータ自体に特殊再生制御情報を組み込んでいるため、当該コンテンツデータをデータ受信側において、さらにデータ転送を行っても、コンテンツデータが圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【００１３】
すなわち、当該コンテンツデータを圧縮する場合に、当該圧縮されたデータは、通常、コンテンツデータが圧縮されたエリアと再生制御情報を有するエリアから構成されるため、コンテンツデータの受信側で、さらに、コンテンツデータを転送する場合に、受信側の構成によっては、再生制御情報が的確に転送されない場合も発生する。
【００１４】
したがって、本発明では、コンテンツデータ自体（単独で再生可能な最小の画像単位であるグループであって、自らの画像のみで再生されるフレーム画像と、他のフレーム画像から予測して再生されるフレーム画像と、から構成される１又は複数の前記グループ内）に特殊再生制御情報を組み込むことによって、再生制御情報が的確に転送されない場合であっても、当該特殊再生制御情報を的確に転送することができる。
【００１５】
また、請求項２に記載の発明は、請求項１に記載のデータ送信装置において、前記データ組込手段が、前記特殊再生制御情報を前記グループ内に組み込む際に、前記特殊再生制御情報が前記コンテンツデータに存在することを示す識別データを組み込む構成を有している。
【００１６】
この構成により、請求項２に記載の発明では、再生制御情報を圧縮されたコンテンツデータに組み込む際に、再生制御情報が当該コンテンツデータに存在することを示す識別データを組み込む。
【００１７】
したがって、コンテンツデータの受信側において、圧縮されたコンテンツデータを復号し、この識別データを読み出すことによって特殊再生制御情報が存在するか否かを容易に判断することができる。
【００１８】
また、請求項３に記載の発明は、請求項１または２に記載のデータ送信装置において、前記生成手段によって生成される特殊再生制御情報には、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが含まれる構成を有している。
【００１９】
この構成により、請求項３に記載の発明では、生成される特殊再生制御情報には、特殊再生に利用する前記フレーム画像の記録位置を示す記録位置情報、または、特殊再生時のフレーム画像の再生順若しくは各フレーム画像の特殊再生時間を制御する制御情報の少なくとも何れかが含まれるので、コンテンツデータの受信側において、特殊再生制御を行う際に、フレーム画像の再生順または再生時間を制御することができ、コンテンツ制作者の意図する特殊再生を行うことができる。
【００２０】
また、請求項４に記載の発明は、請求項１乃至３の何れか一項に記載のデータ送信装置において、前記生成手段が、複数の前記グループ毎に当該各グループに属する前記フレーム画像の特殊再生を制御する特殊再生制御情報を２以上生成するとともに、前記各特殊再生制御情報に他の特殊再生制御情報の配設位置を示す位置情報を付加し、前記組込手段が、前記生成された特殊再生制御情報を各前記グループ内に２以上組み込む構成を有している。
【００２１】
この構成により、請求項４に記載の発明では、各グループ毎に当該各グループに属するフレーム画像の特殊再生を制御する特殊再生制御情報を生成するとともに、各特殊再生制御情報に他の特殊再生制御情報の配設位置を示す位置情報を付加し、生成された２以上の特殊再生制御情報を各グループ内に組み込む。
【００２２】
したがって、コンテンツデータの受信側において、圧縮されたコンテンツデータを復号するとともに、この特殊再生制御情報に含まれる位置情報を参照しつつ、特殊再生を制御すれば、特殊再生制御情報をコンテンツデータ内に分散配置させることにより、グループ内に１つのみ、または、複数のグループに１つのみ組み込まれているなど特殊再生制御情報が集中的に配される場合の弊害、すなわち、実時間軸上で送信する処理が煩雑になること、または、特殊再生制御情報のデータ量が多い場合に各構成データへのアクセスの遅延が生ずることを防止することができる。
【００２３】
また、請求項５に記載の発明は、請求項１乃至４の何れか一項に記載のデータ送信装置から送信されたコンテンツデータを受信して再生するデータ受信装置において、コンテンツ制作者の意図する特殊再生を制御する特殊再生制御情報が組み込まれ、前記コンテンツデータの再生制御を行う前記再生制御情報とともに、１又は複数のグループからなるデータ形式に圧縮された映像情報を少なくとも含むコンテンツデータを受信する受信手段と、前記圧縮された映像情報に係る前記グループ内に組み込まれた特殊再生制御情報を取得する取得手段と、前記取得した特殊再生制御情報に基づいて、前記受信した圧縮された映像情報を少なくとも復号するとともに、前記コンテンツデータの特殊再生を行う再生手段と、を備えた構成を有している。
【００２４】
この構成により、請求項５に記載の発明では、このコンテンツ制作者の意図する特殊再生制御情報が組み込まれ、複数のグループに圧縮されたコンテンツデータを受信するとともに、当該組み込まれた特殊再生制御情報に基づいて圧縮されたコンテンツデータを復号し、コンテンツデータの特殊再生を行う。
【００２５】
したがって、コンテンツデータとともに送信された特殊再生制御情報に基づいてコンテンツデータの再生を制御することができるので、サムネイルを利用した再生や部分再生または早送り再生など様々な特殊再生を行うことができるとともに、このような特殊再生を行う場合であっても、コンテンツ制作者の意図を反映させることができる。
【００２６】
また、データ圧縮後のコンテンツデータ自体に特殊再生制御情報を組み込んでいるため、さらにデータ転送を行っても、コンテンツデータが圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【００２７】
すなわち、当該コンテンツデータを圧縮する場合に、当該圧縮されたデータは、通常、コンテンツデータが圧縮されたエリアと再生制御情報を有するエリアから構成されるため、当該データ受信装置において、さらに、コンテンツデータを転送する場合に、データ受信装置の構成によっては、再生制御情報が的確に転送されない場合も発生する。
【００２８】
したがって、本発明では、コンテンツデータ自体に特殊再生制御情報を組み込むことによって、再生制御情報が的確に転送されない場合であっても、当該特殊再生制御情報を的確に転送することができる。
【００２９】
また、請求項６に記載の発明は、請求項５に記載のデータ受信装置において、前記コンテンツデータに前記特殊再生制御情報が存在することを示す識別データが含まれている場合であって、前記取得手段が、前記特殊再生制御情報を取得する際に、前記識別データを取得する構成を有している。
【００３０】
この構成により、請求項６に記載の発明では、特殊再生制御情報を取得する際に、識別データを取得するので、この識別データによって、特殊再生制御情報が存在するか否かを容易に判断することができる。
【００３１】
また、請求項７に記載の発明は、請求項５または６に記載のデータ受信装置において、前記特殊再生制御情報に、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが含まれている場合であって、前記取得手段が、前記特殊再生制御情報を取得する際に、前記制御情報を取得し、前記再生制御手段が、前記取得した制御情報に基づいて特殊再生を行う構成を有している。
【００３２】
この構成により、請求項７に記載の発明では、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかを取得し、この制御情報に基づいて特殊再生を行うので、サムネイルを利用した再生や部分再生または早送り再生など様々な特殊再生を行う場合であっても、コンテンツ制作者の意図する特殊再生を的確に行うことができる。
【００３３】
また、請求項８に記載の発明は、請求項５乃至７の何れか一項に記載のデータ受信装置において、複数の前記グループに属するフレーム画像の特殊再生を制御する前記特殊再生制御情報が、前記各グループ毎に１または２以上組み込まれ、当該各特殊再生制御情報に他の特殊再生制御情報の配設位置を示す位置情報が付加されている場合であって、前記再生手段が、前記各グループ毎に組み込まれた前記各特殊再生制御情報を前記各位置情報に基づいて参照しつつ、特殊再生を行う構成を有している。
【００３４】
この構成により、請求項８に記載の発明では、各グループ毎に組み込まれた各特殊再生制御情報を各位置情報に基づいて参照しつつ、特殊再生を行う。
【００３５】
したがって、特殊再生制御情報をコンテンツデータ内に分散配置させることにより、グループ内に１つのみ、または、複数のグループに１つのみ組み込まれているなど特殊再生制御情報が集中的に配される場合の弊害、すなわち、特殊再生制御情報のデータ量が多い場合に各構成データへのアクセスの遅延が生ずることを防止することができる。
【００３６】
また、請求項９に記載の発明は、コンテンツデータに含まれる映像情報が、単独で再生可能な最小の画像単位であるグループであって、自らの画像のみで再生されるフレーム画像と、他のフレーム画像から予測して再生されるフレーム画像と、から構成される１又は複数の前記グループからなるデータ形式に圧縮されて記録される記録領域を有し、当該グループに対応する記録領域には、前記コンテンツデータのコンテンツ制作者の意図する特殊再生を制御する特殊再生制御情報が記録される構成を有している。
【００３７】
この構成により、請求項９に記載の発明では、コンテンツデータの特殊再生を行うときに、コンテンツ制作者の意図する特殊再生を制御する特殊再生制御情報に基づいて行うようにすれば、サムネイルを利用した再生や部分再生または早送り再生など様々な特殊再生を行うときに、コンテンツ制作者の意図する特殊再生を行うことができる。
【００３８】
また、データ圧縮後のコンテンツデータ自体に特殊再生制御情報を組み込んでいるため、当該コンテンツデータをさらに他の記録媒体にデータ転送を行っても、コンテンツデータが圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【００３９】
すなわち、当該コンテンツデータを圧縮する場合に、当該圧縮されたデータは、通常、コンテンツデータが圧縮されたエリアと再生制御情報を有するエリアから構成されるため、コンテンツデータの受信側で、さらに、コンテンツデータを転送する場合に、受信側の構成によっては、再生制御情報が的確に転送されない場合も発生する。
【００４０】
したがって、本発明では、コンテンツデータ自体に特殊再生制御情報を組み込むことによって、再生制御情報が的確に転送されない場合であっても、当該特殊再生制御情報を的確に転送することができる。
【００４１】
また、請求項１０に記載の発明は、請求項９に記載の記録媒体において、前記グループに対応する記録領域には、前記特殊再生制御情報が当該コンテンツデータに存在することを示す識別データが記録される構成を有している。
【００４２】
この構成により、請求項１０に記載の発明では、再生制御情報が当該コンテンツデータに存在することを示す識別データを取得すれば、この識別データによって、特殊再生制御情報が存在するか否かを容易に判断することができる。
【００４３】
また、請求項１１に記載の発明は、請求項９または１０に記載の記録媒体において、前記グループに対応する記録領域には、特殊再生時の前記フレーム画像の再生順または前記各フレーム画像の再生時間の少なくとも何れかを制御する制御情報が記録される構成を有している。
【００４４】
この構成により、請求項１１に記載の発明では、コンテンツデータの特殊再生を行うときに、生成される特殊再生制御情報には、特殊再生時の前記フレーム画像の再生順または各フレーム画像の再生時間の少なくとも何れかを制御する制御情報を取得すれば、フレーム画像の再生順または再生時間を的確に制御することができ、コンテンツ制作者の意図する特殊再生を行うことができる。
【００４５】
また、請求項１２に記載の発明は、請求項９乃至１１の何れか一項に記載の記録媒体において、複数の各前記グループに属するフレーム画像の特殊再生を制御する前記特殊再生制御情報が、前記各グループ毎に２以上組み込まれる場合であって、前記グループに対応する記録領域には、当該各特殊再生制御情報に他の特殊再生制御情報の配設位置を示す位置情報を有する当該特殊再生制御情報が記録される構成を有している。
【００４６】
この構成により、請求項１２に記載の発明では、圧縮されたコンテンツデータを復号するとともに、特殊再生を行う際に、この特殊再生制御情報に含まれる位置情報を参照しつつ、特殊再生を制御すれば、特殊再生制御情報をコンテンツデータ内に分散配置させることにより、グループ内に１つのみ、または、複数のグループに１つのみ組み込まれているなど特殊再生制御情報が集中的に配される場合の弊害、すなわち、特殊再生制御情報のデータ量が多い場合に各構成データへのアクセスの遅延が生ずることを防止することができる。
【００４７】
また、請求項１３に記載の発明は、入力されたコンテンツデータに含まれる映像情報を、単独で再生可能な最小の画像単位であるグループであって、自らの画像のみで再生されるフレーム画像と、他のフレーム画像から予測して再生されるフレーム画像と、から構成される１又は複数の前記グループからなるデータ形式に圧縮するデータ圧縮処理工程と、前記コンテンツデータのコンテンツ制作者の意図する特殊再生を制御する特殊再生制御情報を生成する生成処理工程と、前記圧縮された映像情報に係る前記グループ内に前記生成された特殊再生制御情報を組み込むデータ組込処理工程と、前記特殊再生制御情報が組み込まれ、前記圧縮された映像情報を少なくとも含むコンテンツデータを送信する送信処理工程と、を含む構成を有している。
【００４８】
この構成により、請求項１３に記載の発明では、再生制御情報とともに複数のグループに圧縮されたコンテンツデータに、このコンテンツ制作者の意図する特殊再生制御情報を組み込むとともに、組み込まれたコンテンツデータを送信する。
【００４９】
したがって、コンテンツデータの受信側において、圧縮されたコンテンツデータを復号するとともに、特殊再生を行う際に、この特殊再生制御情報に基づいてコンテンツデータの特殊再生を行うよう制御すれば、サムネイルを利用した再生や部分再生または早送り再生など様々な特殊再生を行うことができるとともに、このような特殊再生を行う場合であっても、コンテンツ制作者の意図を反映させることができる。
【００５０】
また、データ圧縮後のコンテンツデータ自体に特殊再生制御情報を組み込んでいるため、当該コンテンツデータをデータ受信側において、さらにデータ転送を行っても、コンテンツデータが圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【００５１】
すなわち、当該コンテンツデータを圧縮する場合に、当該圧縮されたデータは、通常、コンテンツデータが圧縮されたエリアと再生制御情報を有するエリアから構成されるため、コンテンツデータの受信側で、さらに、コンテンツデータを転送する場合に、受信側の構成によっては、再生制御情報が的確に転送されない場合も発生する。
【００５２】
したがって、本発明では、コンテンツデータ自体に特殊再生制御情報を組み込むことによって、再生制御情報が的確に転送されない場合であっても、当該特殊再生制御情報を的確に転送することができる。
【００５３】
また、請求項１４に記載の発明は、請求項１３に記載のデータ送信方法において、前記データ組込処理工程においては、前記特殊再生制御情報を前記グループ内に組み込む際に、前記再生制御情報が前記コンテンツデータに存在することを示す識別データを組み込む構成を有している。
【００５４】
この構成により、請求項１４に記載の発明では、再生制御情報を圧縮されたコンテンツデータに組み込む際に、再生制御情報が当該コンテンツデータに存在することを示す識別データを組み込む。
【００５５】
したがって、コンテンツデータの受信側において、圧縮されたコンテンツデータを復号し、この識別データを読み出すことによって特殊再生制御情報が存在するか否かを容易に判断することができる。
【００５６】
また、請求項１５に記載の発明は、請求項１または２に記載のデータ送信方法において、前記生成処理工程によって生成される特殊再生制御情報には、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが含まれる構成を有している。
【００５７】
この構成により、請求項１５に記載の発明では、生成される特殊再生制御情報には、特殊再生に利用する前記フレーム画像の記録位置を示す記録位置情報、または、特殊再生時のフレーム画像の再生順若しくは各フレーム画像の特殊再生時間を制御する制御情報の少なくとも何れかが含まれるので、コンテンツデータの受信側において、特殊再生制御を行う際に、フレーム画像の再生順または再生時間を制御することができ、コンテンツ制作者の意図する特殊再生を行うことができる。
【００５８】
また、請求項１６に記載の発明は、請求項１３乃至１５の何れか一項に記載のデータ送信方法において、前記生成処理工程においては、複数の前記グループ毎に当該各グループに属する前記フレーム画像の特殊再生を制御する特殊再生制御情報を２以上生成するとともに、前記各特殊再生制御情報に他の特殊再生制御情報の配設位置を示す位置情報を付加し、前記組込処理工程においては、前記生成された特殊再生制御情報を各前記グループ内に２以上組み込む構成を有している。
【００５９】
この構成により、請求項４に記載の発明では、各グループ毎に当該各グループに属するフレーム画像の特殊再生を制御する特殊再生制御情報を生成するとともに、各特殊再生制御情報に他の特殊再生制御情報の配設位置を示す位置情報を付加し、生成された１または２以上の特殊再生制御情報を各グループに組み込む。
【００６０】
したがって、コンテンツデータの受信側において、圧縮されたコンテンツデータを復号するとともに、この特殊再生制御情報に含まれる位置情報を参照しつつ、特殊再生を制御すれば、特殊再生制御情報をコンテンツデータ内に分散配置させることにより、グループ内に１つのみ、または、複数のグループに１つのみ組み込まれているなど特殊再生制御情報が集中的に配される場合の弊害、すなわち、実時間軸上で送信する処理が煩雑になること、または、特殊再生制御情報のデータ量が多い場合に各構成データへのアクセスの遅延が生ずることを防止することができる。
【００６１】
また、請求項１７に記載の発明は、請求項１３乃至１６の何れか一項に記載のデータ送信方法によって送信されたコンテンツデータを受信して再生するデータ受信方法において、コンテンツ制作者の意図する特殊再生を制御する特殊再生制御情報が組み込まれ、前記コンテンツデータの再生制御を行う前記再生制御情報とともに、１又は複数のグループからなるデータ形式に圧縮された映像情報を少なくとも含むコンテンツデータを受信する受信処理工程と、前記圧縮された映像情報に係る前記グループ内に組み込まれた特殊再生制御情報を取得する取得処理工程と、前記取得した特殊再生制御情報に基づいて、前記受信した圧縮された映像情報を少なくとも復号するとともに、当該コンテンツデータの特殊再生を行う再生処理工程と、を含む構成を有している。
【００６２】
この構成により、請求項１７に記載の発明では、再生制御情報とともに複数のグループに圧縮されたコンテンツデータに、このコンテンツ制作者の意図する特殊再生制御情報が組み込まれているコンテンツデータを受信し、この特殊再生制御情報に基づいて、前記受信した圧縮されたコンテンツデータを復号するとともに、当該コンテンツデータの特殊再生を行う。
【００６３】
この構成により、請求項１７に記載の発明では、このコンテンツ制作者の意図する特殊再生制御情報が組み込まれ、複数のグループに圧縮されたコンテンツデータを受信するとともに、当該組み込まれた特殊再生制御情報に基づいて圧縮されたコンテンツデータを復号し、コンテンツデータの特殊再生を行う。
【００６４】
したがって、コンテンツデータとともに送信された特殊再生制御情報に基づいてコンテンツデータの再生を制御することができるので、サムネイルを利用した再生や部分再生または早送り再生など様々な特殊再生を行うことができるとともに、このような特殊再生を行う場合であっても、コンテンツ制作者の意図を反映させることができる。
【００６５】
また、データ圧縮後のコンテンツデータ自体に特殊再生制御情報を組み込んでいるため、さらにデータ転送を行っても、コンテンツデータが圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【００６６】
すなわち、当該コンテンツデータを圧縮する場合に、当該圧縮されたデータは、通常、コンテンツデータが圧縮されたエリアと再生制御情報を有するエリアから構成されるため、当該データ送信装置において、さらに、コンテンツデータを転送する場合に、データ受信装置の構成によっては、再生制御情報が的確に転送されない場合も発生する。
【００６７】
したがって、本発明では、コンテンツデータ自体に特殊再生制御情報を組み込むことによって、再生制御情報が的確に転送されない場合であっても、当該特殊再生制御情報を的確に転送することができる。
【００６８】
また、請求項１８に記載の発明は、請求項１７に記載のデータ受信方法において、前記コンテンツデータに前記特殊再生制御情報が存在することを示す識別データが含まれている場合であって、前記取得処理工程においては、前記特殊再生制御情報を取得する際に、前記識別データを取得する構成を有している。
【００６９】
この構成により、請求項１８に記載の発明では、特殊再生制御情報を取得する際に、識別データを取得するので、この識別データによって、特殊再生制御情報が存在するか否かを容易に判断することができる。
【００７０】
また、請求項１９に記載の発明は、請求項１７または１８に記載のデータ受信方法において、前記特殊再生制御情報に、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかが制御する制御情報が含まれている場合であって、前記取得処理工程においては、前記特殊再生制御情報を取得する際に、前記制御情報を取得し、前記再生制御処理工程においては、前記取得した制御情報に基づいて特殊再生を行う構成を有している。
【００７１】
この構成により、請求項１９に記載の発明では、特殊再生に利用する前記フレーム画像の記録位置を示す記録位置情報、または、特殊再生時の前記フレーム画像の再生順若しくは前記各フレーム画像の特殊再生時間を制御する制御情報の少なくとも何れかを取得し、この制御情報に基づいて特殊再生を行うので、サムネイルを利用した再生や部分再生または早送り再生など様々な特殊再生を行う場合であっても、コンテンツ制作者の意図する特殊再生を的確に行うことができる。
【００７２】
また、請求項２０に記載の発明は、請求項１７乃至１９の何れか一項に記載のデータ受信方法において、複数の前記グループに属するフレーム画像の特殊再生を制御する前記特殊再生制御情報が、前記各グループ毎に１または２以上組み込まれ、当該各特殊再生制御情報に他の特殊再生制御情報の配設位置を示す位置情報が付加されている場合であって、前記再生処理工程においては、前記各グループ毎に組み込まれた前記各特殊再生制御情報を前記各位置情報に基づいて参照しつつ、特殊再生を行う構成を有している。
また、請求項２１に記載の発明は、請求項１乃至４の何れか一項に記載のデータ送信装置において、前記特殊再生制御情報は、互いに異なる再生モード毎に規定されるように構成する。
【００７３】
この構成により、請求項２０に記載の発明では、各グループ毎に組み込まれた各特殊再生制御情報を各位置情報に基づいて参照しつつ、特殊再生を行う。
【００７４】
したがって、特殊再生制御情報をコンテンツデータ内に分散配置させることにより、グループ内に１つのみ、または、複数のグループに１つのみ組み込まれているなど特殊再生制御情報が集中的に配される場合の弊害、すなわち、特殊再生制御情報のデータ量が多い場合に各構成データへのアクセスの遅延が生ずることを防止することができる。
【００７５】
【発明の実施の形態】
次に、本発明に好適な実施の形態について、図面に基づいて説明する。
【００７６】
〔第１実施形態〕
本実施形態は、画像等のプログラムストリームが記録されているＤＶＤ−Ｒ／ＲＷなどの記録可能記録媒体および当該記録媒体に対して記録・再生を行う情報記録再生装置について本発明を適用した場合の実施形態である。
【００７７】
まず、図１〜図７を用いて実施形態の記録方式（以下、記録フォーマットという）として対応すべき、ＤＶＤビデオ方式のＤＶＤ規格について、その概要を説明する。
【００７８】
なお、図１は当該ビデオ方式における物理的記録フォーマットを示す図、図２は当該ＤＶＤビデオ規格におけるＧＯＰ（Group  Of  Picture）の構成を示す図、図３は当該ビデオ方式における論理フォーマットを示す図、図４〜図６はユーザ情報のデータ構成の一例を示す図、図７は、コンテンツデータが記録される際のＭＰＥＧビデオ規格の論理フォーマットを示す図である。
【００７９】
また、本実施形態のＤＶＤは、具体的には、一回のみ書き換え可能なＤＶＤ−Ｒ（DVD‐Recordable）又は複数回の書き換えが可能なＤＶＤ−ＲＷ（DVD−Rerecordable）等の記録可能なＤＶＤである。
【００８０】
ＤＶＤビデオ規格に則って記録情報が記録されているＤＶＤ１は、図１に示すように、その最内周部にリードインエリアＬＩを有するとともにその最外周部にリードアウトエリアＬＯを有しており、その間に、映像情報及び音声情報が、夫々にＩＤ（識別）番号を有する複数のＶＴＳ（Video  Title  Set）３（ＶＴＳ＃１〜ＶＴＳ＃ｎ）に分割されて記録されている。
【００８１】
また、このＶＴＳ３が記録されている領域（本発明の記録領域に相当）の直前には、ビデオマネージャ２が記録されるようになっており、ビデオマネージャ２とリードインエリアＬＩとの間には、ＤＶＤ１に記録されている情報全体を識別するためのボリューム情報４と、ビデオマネージャ２及び各ＶＴＳ３におけるデータのファイル構造を示すファイルシステム情報５と、が記録されるようになっている。
【００８２】
ビデオマネージャ２は、ＶＭＧＩ（Video  Maneger  Information）を有しており、このＶＭＧＩの情報には、例えば、各タイトルの名前を示すメニューや、違法コピー防止のための情報、又は夫々のタイトルにアクセスするためのアクセステーブル並びにこれらの情報のバックアップ情報等、当該ＤＶＤ１に記録される映像情報及び音声情報の全体に係わる情報が含まれている。
【００８３】
ＶＴＳ３は、映画等の製作者が視聴者に提示しようとする一つの作品などを示し、関連するタイトルを一まとめにしたセット（纏まり）であり、ＶＴＳ３には、例えば、一本の同じ映画について、異なる言語のセリフ等を有する複数の映画が夫々にタイトルとして、又は、同じ映画であっても劇場版と特別版とが夫々別のタイトルとして記録されるようになっている。
【００８４】
例えば、この関連するタイトルには、音声情報及び映画における字幕等の副映像の情報の数や、仕様、対応言語等の属性が同一のデータが含まれるようになっている。
【００８５】
また、各ＶＴＳ３は、先頭にあるコントロールデータ１１と、夫々にＩＤ番号が付与されたコンテンツデータそのものである複数のオブジェクト（本実施形態では、映像情報であるのでビデオオブジェクト（以下、ＶＯＢという））１０（本発明に係るコンテンツデータに相当）とから構成されるようになっている。
【００８６】
なお、ＤＶＤ規格では、複数のＶＯＢ１０により構成されている部分をＶＯＢセット（ＶＯＢＳ）といい、このＶＯＢセットは、ＶＴＳ３を構成する他のデータであるコントロールデータ１１と、映像情報及び音声情報の実体である複数のＶＯＢ１０の部分とを区別するために当該実体部分について識別するためのものである。
【００８７】
コントロールデータ１１には、後述する複数のセルを組み合わせた論理的区分であるプログラムチェインに関する種々の情報であるＰＧＣＩ（Program  Chain  Information）等の情報及びそれらのバックアップ情報であるＶＴＳＩ（Video  Title  Set   Information）が記録されるようになっている。
【００８８】
各ＶＯＢ１０には、制御情報の他に映像情報及び制御情報以外の映像又は音声そのものである音声情報の実体部分が記録されるようになっており、コンテンツデータは、当該複数のＶＯＢ１０に分割されて記録されるようになっている。
【００８９】
また、各ＶＯＢ１０は、夫々にＩＤ番号を有する複数のセル２０により完結するように構成されており、この各セル２０は、夫々にＩＤ番号を有する複数のＶＯＢユニット（ＶＯＢＵ）３０により構成され、二つのＶＯＢ１０に跨がることはないという特徴を有している。
【００９０】
各ＶＯＢユニット３０は、映像情報、音声情報及び副映像情報の夫々を含む単位情報を有し、当該各ＶＯＢユニット３０に含まれているデータ等を制御対象とする制御情報が格納されているナビゲーション情報を示すパック（以下、単にナビパックという）４１と、映像情報のみを記録するビデオデータ４２と、音声情報のみを記録するオーディオデータ４３と、副映像情報として文字や図形等のグラフィックデータのみを記録するサブピクチャデータ４４とにより構成されている。
【００９１】
各ＶＯＢユニット３０では、ナビパック４１が必ずその先頭に配されるとともに、その後にビデオデータ４２、オーディオデータ４３及びサブピクチャデータ４４の夫々データが配設されるようになっている。
【００９２】
また、各ＶＯＢユニット３０は、１のナビパック４１と当該１のナビパック４１に隣接するナビパック４１との間に記録されているデータに対応する再生時間を０．４秒以上１秒以下の長さになるよう記録されるようになっており、このため、再生時に、ナビパック４１は、０．４秒乃至１秒に１回は必ず検出されるという特徴を有している。
【００９３】
なお、これらのビデオデータ４２、オーディオデータ４３及びサブピクチャデータ４４は、夫々の区分を一般にパックといい、各ＶＯＢユニット３０においては、ビデオデータ４２、オーディオデータ４３及びサブピクチャデータ４４が、夫々パックに分割されて記録されているようになっている。
【００９４】
ここで、ビデオデータ４２、オーディオデータ４３及びサブピクチャデータ４４のデータについて説明する。
【００９５】
なお、当該ＤＶＤ規格では、ビデオデータ４２が記録されているパックをビデオパック、オーディオデータ４３が記録されているパックをオーディオパック、サブピクチャデータ４４が記録されているパックをサブピクチャパックという。
【００９６】
また、ビデオデータ４２、オーディオデータ４３及びサブピクチャデータ４４の夫々データは、必ずしもＶＯＢユニット３０中に存在する必要はなく、また、存在する場合にもその数や順序は任意に設定することができるようになっている。
【００９７】
さらに、ＤＶＤ１に記録可能な音声は８種類であり、記録可能な副映像の種類は３２種類であることが規格上定められている。
【００９８】
各パックの先頭に記録されるパックヘッダには、ＳＣＲ（System  Clock  Reference）という時間情報が記録されており、このＳＣＲは、夫々のパックに含まれているデータを、ＤＶＤ１に記録されている情報を再生する情報再生装置におけるトラックバッファから読み出して、夫々のバッファへの入力を開始すべき再生時間軸上の読み出し開始時刻を示すようになっている。
【００９９】
また、上記各パックには、通常、当該パックを更に細分化した記録単位であるパケット毎にビデオデータ４２、オーディオデータ４３又はサブピクチャデータ４４が記録されるようになっており、各パックは、ＰＥＳ（Packetized  Elementary  Stream）パケット（以下、ＰＥＳパケットという）が複数個組み合わされ、パックヘッダおよびシステムヘッダとともに構成されるようになっている。
【０１００】
なお、このパケットは、プログラムストリーム（ビデオデータ（ビデオパック）またはオーディオデータ（オーディオパック）などのエレメントデータ）の基本単位を示すようになっている。
【０１０１】
ナビパック４１は、再生表示させたい映像又は音声等を検索するための検索情報であるＤＳＩデータと、ＤＳＩデータに基づいて検索したときに映像又は音声を表示する際の再生表示制御に関する情報であるＰＣＩデータと有しており、例えば、検索情報には、当該再生表示させたい映像又は音声等が記録されているＤＶＤ１上のアドレスが含まれるようになっている。
【０１０２】
このＰＣＩデータには、視聴者によって選択される選択項目に対して、その項目が選択されたときの表示や動作を定義したハイライト情報が含まれており、このハイライト情報によって画面表示などの設定が行われるようになっている。
【０１０３】
例えば、ハイライト情報には、ＰＣＩ視聴者が選択すべき項目を表示したメニュー画面の画像データにおける項目選択に対する画面表示の変化や、当該選択に対応して変化すべき表示位置及び選択された項目に対するコマンド、特に、選択された項目に対して実行される動作を示す命令の設定が行われるようになっている。
【０１０４】
なお、当該ＤＶＤ規格では、メニュー画面を構成して表示するために必要な、枠、選択ボタン等を表示するための画像情報は、上記の副映像情報であるサブピクチャデータ４４として記録されるようになっている。
【０１０５】
ビデオパック４２は、全ての１又は複数のＧＯＰ（Group  Of  Picture）により構成されるようになっている。
【０１０６】
このＧＯＰとは、本実施の形態におけるＤＶＤ１に映像情報を記録する際に採用されている画像圧縮方式であるＭＰＥＧ２方式の規格において定められている単独で再生可能な最小の画像単位をいい、各ＧＯＰの先頭には、当該ＧＯＰに含まれるビデオデータ４２を表示すべき再生時間軸上の再生時刻を示すＰＴＳ（Presentation  Time  Stamp）と呼ばれる再生表示時刻情報が記録されるようになっている。
【０１０７】
なお、このような特性を有するＭＰＥＧ２方式およびＧＯＰの詳細については後述する。
【０１０８】
オーディオパック４３には、ビデオパック４２に記録される映像情報に付加された音声情報が記録されるようになっており、このオーディオパック４３に記録される音声情報は、例えば、ＭＰＥＧ２方式を利用したＭＰＥＧ２オーディオ方式またはＡＣ−３方式によって記録されるようになっている。
【０１０９】
サブピクチャパック４４には、サブピクチャデータ４４として副映像としての文字や図形等のグラフィックデータのみが記録されるようになっている。
【０１１０】
このように、本実施形態のＤＶＤ１は、上述したビデオ方式における物理的記録フォーマットによってコンテンツデータが記録されるようになっている。
【０１１１】
次に、本実施形態で採用するコンテンツデータを圧縮するＭＰＥＧ２方式についてその概要を説明する。
【０１１２】
ＭＰＥＧ２方式は、連続したフレーム画像において、各フレーム画像を記録する場合に、複数のフレーム画像との間における差分及び動きベクトルに関する情報を記録するとともに、この各フレーム画像を再生するときには、それらを参照して上記複数のフレーム画像から予測して当該別のフレーム画像を再生するようになっており、一枚のフレーム画像の前後にあるフレーム画像が、互いに類似し相互関係を有している場合が多いという点に着目してデータ圧縮を行うようになっている。
【０１１３】
具体的には、ＭＰＥＧ２方式では、原画像の動きベクトル等に基づく補間演算を行うとともに、いくつかのフレームを隔てて転送される複数のフレーム画像に基づいて当該複数のフレーム画像の間に存在する別のフレーム画像を生成することによってデータ圧縮を実現するようになっている。
【０１１４】
例えば、図２に示すように、各ＧＯＰが１２枚のフレーム画像から構成されている場合、各画像フレームの関係性は以下のようになっている。
【０１１５】
なお、図２では、各ピクチャ間の予測関係（補間関係）を矢印示す。
【０１１６】
また、図２は、説明の便宜上、上述では各ＧＯＰが１２枚のフレーム画像から構成されている場合を示しているが、通常、ＭＰＥＧ２方式では、各画像データのデータ量に左右され、各ＧＯＰに含まれるフレーム画像数は、これに限られない。
【０１１７】
図２に示すこの符号「Ｉ」で示されるフレーム画像は、Ｉピクチャ（intra-coded  picture  ：イントラ符号化画像）と呼ばれ、自らの画像のみで完全なフレーム画像を再生することができるようになっている。
【０１１８】
また、符号「Ｐ」で示されるフレーム画像は、Ｐピクチャ（Predictive-coded  picture：前方予測符号化画像）と呼ばれ、既に復号化されたＩピクチャ又は他のＰピクチャに基づいて補償再生された予測画像との差を復号化する等して生成されるようになっている。
【０１１９】
さらに、符号「Ｂ」で示されるフレーム画像は、Ｂピクチャ（Bidirectionally  predictive-coded  picture：両方向予測符号化画像）と呼ばれ、既に復号化されたＩピクチャ又はＰピクチャのみでなく、光ディスク等に記録されている時間的に未来のＩピクチャ又はＰピクチャをも予測に用いて再生されるようになっている。
【０１２０】
このＰピクチャおよびＢピクチャは、他のフレーム画像から予測画像として生成されるようになっており、これにより、ＭＰＥＧ２方式では、画像データを圧縮することが可能になっている。
【０１２１】
また、当該ビデオ方式のＭＰＥＧ２方式では、夫々のＧＯＰに含まれるデータ量が一定でない可変レート方式を採用するようになっている。
【０１２２】
具体的には、当該ＭＰＥＧ２方式では、１のＧＯＰに含まれる各ピクチャが、動きの速い動画に対応するようになっており、各ピクチャ間の相関関係が小さい場合には、各ピクチャを構成するためのデータ量が多くなるので、１のＧＯＰに含まれるデータ量も多くなる一方、各ＧＯＰに含まれる各ピクチャが、あまり動きのない動画に対応しており、各ピクチャ間の相関関係が大きい場合には、各ピクチャを構成するためのデータ量が少なくなり、各ＧＯＰに含まれるデータ量も少なくなることとなる。
【０１２３】
このような圧縮方式を有するＭＰＥＧ２方式では、図３に示すように、各ビデオパック４２の実データによってＭＰＥＧビデオストリームＳＴを構成するようになっている。
【０１２４】
次に、ビデオパックとＭＰＥＧビデオストリームについて説明する。
【０１２５】
なお、当該ＭＰＥＧビデオストリームは、基本的には、シーケンス層、ＧＯＰ層、ピクチャ層、スライス層、マクロブロック層およびブロック層の６つの層の階層構造から構成されるようになっているが、ここでは、説明の便宜上、上位のシーケンス層５０とＧＯＰ層６０についてのデータ構造を用いて説明する。
【０１２６】
ＶＯＢユニット３０を構成する各ビデオパック４２は、図３に示すように、パックヘッダ４５とパケットヘッダ４６と実質的なビデオデータを有する実データ（以下、単にデータという）４７とから構成されるようになっている。
【０１２７】
また、このＭＰＥＧビデオストリームＳＴは、各データ４７から構成されるとともに、このＭＰＥＧビデオストリームＳＴは、図３に示すように、シーケンス層５０およびＧＯＰ層６０のデータ構造を有するようになっている。
【０１２８】
このシーケンス層５０には、各々シーケンスヘッダ５１、並びに、当該画像データの画素数およびアスペクト比などの一般情報５２とともに、１又は複数のＧＯＰ６０を有している。
【０１２９】
また、ＧＯＰ層６０には、ＧＯＰ６０の開始コードを示すＧＳＣ（Group Start Code）を有するＧＯＰヘッダ６１と、シーケンスの先頭からの時間を示すＴＣ（Time Code）および当該ＧＯＰ内の画像データの再生および編集に関する固有の情報などの制御情報６２と、画像データにおける再生制御を示す拡張データ６３と、コンテンツ制作者やユーザが任意の情報を記録することが可能なユーザ情報６４と、フレーム画像のデータを示すフレーム画像データ（ピクチャ層）６５と、を有している。
【０１３０】
制御情報６２には、ＴＣの他に、例えば、ＧＯＰ内の画像データが他のＧＯＰからの独立再生の可否、編集時の当該ＧＯＰの使用可否などを示すデータが含まれるようになっている。
【０１３１】
拡張情報６３には、ＧＯＰ６０内の画像データを提供する提供者（オーサー）や情報を記録したユーザによって設定される著作権情報（データ複写の禁止情報などのコピープロテクションの情報）や画像データにおける画面表示の際のアスペクト比などの再生態様を示すため拡張情報６３が含まれるようになっている。
【０１３２】
ユーザ情報６４には、拡張情報と同様に、ＧＯＰ内の画像データを提供する提供者（オーサー）や情報を記録したユーザによって設定される情報が含まれるようになっており、例えば、クローズドキャプションデータなどの文字データが含まれるようになっている。
【０１３３】
また、このユーザ情報６４には、サムネイルを用いた再生や部分再生または早送り再生など当該ＧＯＰ６０内に記録されている画像データの様々な特殊再生を制御する特殊再生制御情報７０が配されるようになっている。
【０１３４】
この特殊再生制御情報７０は、例えば、連続静止画像再生を行うサムネイルを用いた再生を制御する場合には、図４に示すような再生フォーマットを有しており、具体的には、ユーザ情報スタートコード（user data start code）、特殊再生識別コード（本願発明の識別データに相当）、再生モード、静止画再生時の次の画像データが再生されるまでの時間間隔を示す再生間隔データ、特殊再生する際の静止画数を示す静止画数データ、特殊再生を行う複数のＩピクチャの位置情報（以下、Ｉピクチャ位置情報（本発明の再生順を示す制御情報および記録位置情報に相当）という）およびそのマーカビットを有している。
【０１３５】
本実施形態では、図４に示すように、ユーザ情報スタートコードとして「００００１Ｂ２」の値を固定値とするとともに、第１特殊再生識別コードとして特殊再生を示すトリックプレイ（ＴＰ：Trick  Play）を、第２特殊再生識別コードとしてムービー（ＭＶ：Movie）を、特殊再生モードとして静止画再生（ＳＴ：Still）を、それぞれ固定値とするようになっている。
【０１３６】
なお、スタートコード「００００１Ｂ２」は、ＭＰＥＧビデオ方式の規格上定められている値である。
【０１３７】
また、Ｉピクチャ位置情報は、静止画再生を行う際に使用する画像データのＧＯＰ内の絶対的な位置を示す位置情報を示すようになっており、特殊再生時には、この位置情報に基づいてＩピクチャを取得させるようになっている。
【０１３８】
各Ｉピクチャの位置情報は、上述のＤＶＤに記録されているデータを再生することによって生成されるプログラムストリーム９０の先頭からのバイト数を４８ビットで記録するようになっており、１６ビット毎に、上位（Ｈ）、中位（Ｍ）および下位（Ｌ）の３つの情報に分散させて記録されるようになっている。
【０１３９】
なお、各Ｉピクチャ位置情報は、次のユーザ情報スタートコードとして識別されないように、各Ｉピクチャ位置情報毎に固定値「１」としてマーカビットが配されるようになっており、また、当該特殊再生情報の最後には、ユーザデータをバイト単位にするために所定数のビットを示すバイトアラインが配されるようになっている。
【０１４０】
また、特殊再生制御情報７０は、部分再生を行う場合には、図５に示すような再生フォーマットを有しており、具体的には、上述と同様に、ユーザ情報スタートコード（user data start code）、特殊再生識別コード（本願発明の識別データに相当）および再生モードを有するとともに、部分再生する際の再生するピクチャ画像の数を示す部分再生数、当該部分再生を行う際のピクチャ画像の画像フレーム数を示す部分再生フレーム数、部分再生する当該部分再生する各ピクチャのＧＯＰの位置における位置情報（以下、ＧＯＰ位置情報（本発明の再生順を示す制御情報および記録位置情報に相当）という）およびそのマーカビットを有している。
【０１４１】
本実施形態では、上述と同様に、第１特殊再生識別コードとして特殊再生を示すトリックプレイ（ＴＰ）を、第２特殊再生識別コードとしてムービー（ＭＶ）を、それぞれ固定値とするとともに、再生モードとして部分再生（ＰＰ：Partial  Play）を固定値とするようになっている。
【０１４２】
また、ＧＯＰ位置情報は、部分再生を行う際に使用する画像データのＧＯＰ内の絶対的な位置を示す位置情報を示すようになっており、特殊再生時には、この位置情報に基づいて各ピクチャを取得させるようになっている。
【０１４３】
各ＧＯＰ位置情報は、上述のＤＶＤに記録されているデータを再生することによって生成されるプログラムストリーム９０の先頭からのバイト数を４８ビットで記録するようになっており、１６ビット毎に、上位（Ｈ）、中位（Ｍ）および下位（Ｌ）の３つの情報に分散させて記録されるようになっている。
【０１４４】
なお、各ＧＯＰ位置情報は、上述と同様に、次のユーザ情報スタートコードとして識別されないように、各Ｉピクチャ位置情報毎に固定値「１」として各マーカビットが配されるようになっており、また、当該特殊再生情報の最後には、ユーザデータをバイト単位にするために所定数のビットを示すバイトアラインが配されるようになっている。
【０１４５】
また、このユーザ情報６４は、各フレーム画像データの先頭に配されるようになっている（以下、集中配置という）が、フレーム画像データ間、例えば、ＩピクチャとＢピクチャとの間などに分散的に配置するようにしてもよい。
【０１４６】
この場合、各ユーザ情報には、当該ユーザ情報を付近に配されているフレーム画像データについての特殊再生制御情報７０が記録されているようになっているとともに、各特殊再生制御情報７０には他の特殊再生制御情報の位置情報を示すリンク情報７１（本願発明の位置情報に相当）が格納されるようになっている。
【０１４７】
例えば、図４に示すような再生フォーマットを有する連続静止画像再生を行うサムネイルを用いた再生を制御する場合には、図６に示すように、特殊再生情報７０には、ユーザ情報スタートコード、特殊再生識別コード、再生モード、静止画再生間隔データ、静止画数データ、Ｉピクチャ位置情報およびそのマーカビットの他に、リンク情報の有無を示すリンク情報識別コードと、前方の他の特殊再生制御情報７０のリンク位置を示す情報（以下、前方リンク情報という）と、後方の他の特殊再生制御情報７０のリンク位置を示す情報（以下、後方リンク情報という）とが記録されるようになっている。
【０１４８】
各ＧＯＰ位置情報は、Ｉピクチャ位置情報と同様に、上述のＤＶＤに記録されているデータを再生することによって生成されるプログラムストリーム９０の先頭からのバイト数を４８ビットで記録するようになっており、１６ビット毎に、上位（Ｈ）、中位（Ｍ）および下位（Ｌ）の３つの情報に分散させて記録されるようになっている。
【０１４９】
また、ここではビデオパック４２を例としてパック構造について説明しているが、オーディオパック４３では、オーディオアクセスユニット（ＡＡＵ）が上述のＧＯＰに相当する。
【０１５０】
次に、図１に示す物理的な区分により記録された情報を組み合わせた論理フォーマット（論理構造）について図７を用いて説明する。
【０１５１】
なお、図７に示す論理構造は、その構造で実際にＤＶＤ１上に情報が記録されているのではなく、図７に示す論理構造を用いて図１に示すセル２０などの各データを組み合わせて構成されるようになっており、再生するためのアクセス情報又は時間情報などの情報が、ＤＶＤ１上の特にコントロールデータ１１の中に記録され、当該情報が読み出されることによって図７に示す論理構造が構築されるようになっている。
【０１５２】
図７に示すように、上記図１において説明した物理構造は、複数のセル２０を選択して組み合わせることによって、１のプログラム８０が製作者の意図に基づいて論理上構成されるようになっている。
【０１５３】
このプログラム８０は、上記情報再生装置におけるシステムコントローラが区分を識別してコマンドによってアクセスできる最小の論理的単位であり、この１のプログラム８０は、複数のセル２０を選択して論理的に構成されるようになっている。
【０１５４】
なお、当該ビデオ方式では、この最小のプログラム単位をＰＴＴ（Part  of  Title）といい、このプログラム８０を１又は複数個纏めたものを視聴者が自由に選択して視聴することができる最小単位として製作者が定義することもできるようになっている。
【０１５５】
各セル２０には、当該セル２０を図１に示す物理フォーマットにおいて取り扱う際に必要となる番号（以下、セルＩＤ番号という（図１中、セルＩＤ＃と示す））が付与されており、論理フォーマットにおいて取り扱う際には、このセルＩＤに基づいて再生が行われるようになっている。
【０１５６】
当該ビデオ方式では、このセルＩＤにより、ＤＶＤ１に記憶されている順番にセル２０を再生する連続配置セルの再生方法の他に、ＤＶＤ１に記憶されている順序に関係なく再生する非連続配置セルの再生方法を製作者が選択することができるようになっている。
【０１５７】
また、１のセル２０は、複数のプログラム８０によって共通して用いること、すなわち、１のセル２０を異なった複数のプログラム８０において再生させる、いわゆるセル２０の使い回しを行うことができるとともに、このセル２０は、ＤＶＤ１に記憶されている順番に再生される（連続配置セルの再生方法）他に、再生を行う際に再生するセルを製作者が選択することができるようにＤＶＤ１に記憶されている順序に関係なく再生される（非連続配置セルの再生方法）ようになっている。
【０１５８】
当該ビデオ方式では、このような論理構造を有しており、当該ビデオ方式では、複数のプログラム８０を組み合わせて１のＰＧＣ（Program  Chain）８１が製作者の意図に基づいて論理上構成され、このＰＧＣ８１の単位で、前述したＰＧＣＩを定義するようになっている。
【０１５９】
例えば、ＰＧＣＩには、夫々のプログラム８０を再生する際の各プログラム８０毎のセル２０の再生順序の制御および各プログラム８０の再生方式、夫々のセル２０のＤＶＤ１上の記録位置であるアドレス、１のプログラム８０における再生すべき先頭セル２０の番号、および、ＰＧＣ８１又はセル２０毎に製作者が指定可能なコマンドを示す各プログラム８０の各種コマンドが含まれており、このＰＧＣＩは、上述の通りＤＶＤ１上のコントロールデータ１１（図１参照）内に記録されるようになっている。
【０１６０】
なお、このＰＧＣＩがビデオマネージャ２内のメニューに関するＰＧＣＩである場合には、当該ＰＧＣＩは、ビデオマネージャ２に含まれるコントロールデータ（図示を省略する）内に記録されるようになっている。
【０１６１】
また、各ＰＧＣ８１は、上記ＰＧＣＩの他に、プログラム８０の組み合わせとして、換言すれば、セル２０の組み合わせとして実体的な映像及び音声等のデータを構成するようになっている。
【０１６２】
当該ビデオ方式では、図７に示すように、１又は複数のＰＧＣ８１により、１のタイトル８２が論理上構成されるとともに、１又は複数のタイトル８２により、１のＶＴＳ８３が論理上構成されるようになっている。
【０１６３】
なお、このタイトル８２は、例えば、映画一本に相当する単位であり、製作者がＤＶＤ１の視聴者に対して提供したい完結した情報を示すとともに、このＶＴＳ８３に含まれるタイトル８２は、例えば、一本の同じ映画に対して違う言語の映画などの夫々に共通の属性を有する。
【０１６４】
また、図７に示す１のＶＴＳ８３に相当する情報は、図１に示す１のＶＴＳ３に含まれている情報に対応するようになっており、具体的には、ＤＶＤ１には、図７に示すＶＴＳ８３内に論理上含まれる全ての情報が１のＶＴＳ３として記録されるようになっている。
【０１６５】
以上説明した論理フォーマットに基づいて、物理構造において区分された情報を製作者が指定することにより、視聴者が見るべきタイトル（映画等）が形成されるようになっている。
【０１６６】
次に、図８および図９を用いて上述したＤＶＤに対してコンテンツデータの書き込みおよび読み出しを行う情報記録再生装置について説明する。
【０１６７】
なお、図８は、情報記録再生装置の構成を示すブロック図であり、図９は、特殊再生制御情報とＩピクチャ位置情報の関係を示す図である。
【０１６８】
また、本実施形態では、ＤＶＤにコンテンツデータの書き込みおよび読み出しを行う場合について説明する。
【０１６９】
図８に示す情報記録再生装置１００は、入力されたコンテンツデータに基づいて半導体レーザを駆動するピックアップ１０１を有し、このピックアップ１０１によってＤＶＤ１に対して光ビームを照射することによって当該ＤＶＤ１にコンテンツデータの記録再生を行うようになっている。
【０１７０】
このような情報記録再生装置１００は、コンテンツデータが入力されるインターフェイス部１０２と、入力されたコンテンツデータをエンコードするエンコーダ１０３と、特殊再生を行う際の特殊再生制御情報を生成する特殊再生制御情報生成部１０４と、エンコードされたコンテンツデータに特殊再生制御情報を組み込むマルチプレクサ１０５と、特殊再生制御情報が組み込まれ、エンコードされたコンテンツデータを予め設定されたＤＶＤ１への記録用の暗号化処理を行う暗号化部１０６と、当該暗号化されたコンテンツデータに基づいてピックアップ１０１を制御する変調信号を生成する変調部１０７と、上記各構成部材を統括制御するとともに、記録するコンテンツデータの制御情報を生成する制御部１０８と、を備えている。
【０１７１】
また、記録再生装置１００は、ピックアップ１０１によって取得して再生信号を生成するアンプ１０９と、再生信号に対して予め設定された復調処理を施して復調信号を生成する復調部１１０と、復調信号からコンテンツデータを解読して取得する復号化部１１１と、解読したコンテンツデータから当該コンテンツデータに組み込まれた特殊再生制御情報を取得するデマルチプレクサ１１２と、コンテンツデータを所定形式の情報、すなわち、所定形式の音声信号および映像信号に変換して外部に出力するデコーダ１１３とを備えている。
【０１７２】
ピックアップ１０１は、ＤＶＤ１に各情報を記録する際に変調部１０７によって生成された変調信号に基づいて動作するようになっており、この変調信号に基づいて、当該ピックアップ１０１内に設けられた記録用の光ビームをＤＶＤ−Ｒ１に対して照射するための図示しない半導体レーザを駆動させるとともに、当該暗号化記録信号に含まれている記録すべき情報に対応して強度変化する当該光ビームを射出させるようになっている。
【０１７３】
また、ピックアップ１０１は、再生用の一定強度の光ビームを射出し、その反射光を図示しない受光部で受光して、当該反射光の強度変化に対応して変化する検出信号を生成してアンプ１０９に出力するようになっている。
【０１７４】
インターフェイス部１０２には、外部より所定の形式を有するコンテンツデータが入力されるようになっており、インターフェイス部１０２は、この入力されたコンテンツデータをエンコーダ１０３に出力するとともに、当該コンテンツ管理情報およびテキストデータなどのその他の情報を変調部１０７に出力するようになっている。
【０１７５】
エンコーダ１０３には、音声情報および映像情報などのコンテンツデータが入力されるようになっており、このエンコーダ１０３は、コンテンツデータに対してＭＰＥＧ２方式の圧縮処理を行い、圧縮処理されたコンテンツデータを上述のフォーマットに則ってマルチプレクサ１０５に出力するようになっている。
【０１７６】
なお、このエンコーダ１０３は、例えば、コンテンツデータに含まれる音声情報をエンコードするオーディオエンコーダおよびコンテンツデータに含まれる映像情報をエンコードするビデオエンコーダを有している。
【０１７７】
特殊再生制御情報生成部１０４は、制御部１０７の指示に基づいて上述の特殊再生制御情報を生成するようになっており、生成した当該特殊再生制御情報をマルチプレクサ１０５に出力するようになっている。
【０１７８】
具体的には、特殊再生制御情報生成部１０４は、制御部１０７から出力された制御信号に基づいて図４に示す再生間隔データ、静止画数データ、Ｉピクチャ位置情報などを生成し、当該生成した各データをマルチプレクサ１０５に出力するようになっている。
【０１７９】
マルチプレクサ１０５には、圧縮処理された映像情報および音声情報、特殊再生制御情報および制御部によって生成された制御情報が入力されるようになっており、このマルチプレクサ１０５は、入力された映像情報、音声情報、および制御情報に基づいて上述したプログラムストリーム９０を生成するとともに、このプログラムストリーム９０に特殊再生制御情報を組み込むようになっている。
【０１８０】
具体的には、マルチプレクサ１０５は、映像情報、音声情報および制御情報に基づいてプログラムストリーム９０を生成するとともに、当該プログラムストリーム９０の上述したユーザ情報のエリアに特殊再生制御情報を記録するようになっており、この特殊再生制御情報を組み込んだプログラムストリーム９０を暗号化部１０６に出力するようになっている。
【０１８１】
暗号化部１０６には、特殊再生制御情報が組み込まれたプログラムストリーム９０が入力されるようになっており、この暗号化部１０６は、入力されたプログラムストリーム９０に対して予め設定された暗号化処理、具体的には、いわゆるＳＤＭＩ（Secure  Digital  Music  Initiative）規格に基づく暗号化処理を行い、暗号化情報を生成するとともに、この暗号化情報を変調部１０７に出力するようになっている。
【０１８２】
変調部１０７には、暗号化部１０６によって暗号化された暗号化情報と、コンテンツ管理情報が入力されるようになっており、この変調部１０７は、ＤＶＤ１にこれらの各情報を記録するためのピックアップ１０１を制御するようになっている。
【０１８３】
具体的には、変調部１０７は、暗号化情報およびコンテンツ管理情報に基づいて記録信号を生成するようになっており、この記録信号に基づいて、ピックアップ１０１を制御する制御信号を生成するとともに、当該制御信号をピックアップ１０１に出力するようになっている。
【０１８４】
制御部１０８は、主に、中央演算処理装置（以下、ＣＰＵという）とメモリから構成され、上記プログラムストリーム９０の記録時における各部の制御および再生時の制御等を行うようになっている。
【０１８５】
また、この制御部１０８には、図示しない操作部からユーザの指示が入力されるようになっており、この入力された指示または入力されたコンテンツデータに基づいて当該コンテンツデータであるプログラムストリーム９０の再生時の再生態様を制御する再生制御情報であるナビパックを生成するとともに、特殊再生制御情報生成部１０４を制御して特殊再生制御情報を生成させるようになっている。
【０１８６】
さらに、この制御部１０８は、ＤＶＤ１を再生するときにナビパックを取得してデコーダを制御してプログラムストリーム９０を再生させるとともに、図示しない操作部からユーザの指示に基づいてデコーダ２１１を制御してサムネイルを利用した再生や部分再生または早送り再生など様々な特殊再生させるようになっている。
【０１８７】
具体的に、制御部１０８は、図示しない操作部からユーザの特殊再生を行う旨の指示が入力されたときに、後述するようにナビパックまたは特殊再生制御情報をデマルチプレクサ１１２を介して取得し、この取得したナビパックまたは特殊再生制御情報に基づいてデコーダ２１１を制御するようになっている。
【０１８８】
アンプ１０９は、ピックアップ１０１によって検出された検出信号に対して予め設定された増幅処理及び波形整形処理等を施し、再生信号を生成して復調部１１０に出力するようになっている。
【０１８９】
復調部１１０には、アンプ１０９によって所定の処理が行われた再生信号が入力されるようになっており、この復調部１１０は、再生信号に対して予め設定された復調処理を施し、プログラムストリーム９０が暗号化されている暗号化情報およびコンテンツ管理情報を生成し、暗号化情報を復号化部１１１に出力するとともに、再生されるプログラムストリーム９０を管理するため、コンテンツ管理情報を制御部１０８または外部に出力するようになっている。
【０１９０】
なお、上述したテキスト情報などのその他の情報は、この復調部１１０によって生成されて図示しない表示部などに出力されるようになっている。
【０１９１】
復号化部１１１には、復調部１１０によって生成された暗号化情報が入力されるようになっており、この復号化部１１１は、当該暗号化情報に所定の処理、具体的には、ＳＤＭＩ規格に基づく復号化処理を行い、暗号化されたプログラムストリーム９０をＭＰＥＧ２方式を有するプログラムストリーム９０に復号化してデマルチプレクサ１１２に出力するようになっている。
【０１９２】
デマルチプレクサ１１２には、復号化されたプログラムストリーム９０が入力されるようになっており、このデマルチプレクサ１１２は、入力されたプログラムストリーム９０からナビパックまたは特殊再生制御情報を取得して制御部１０７に出力するようになっている。
【０１９３】
デコーダ１１３には、プログラムストリーム９０の映像情報の部分および音声情報の部分、すなわち、上述のビデオパック、オーディオパックおよびサブピクチャパックが入力されるようになっており、デコーダ１１３は、制御部１０７の動作制御に基づいて入力された各パックからコンテンツデータを生成して外部に出力するようになっている。
【０１９４】
特殊再生制御情報が集中的に配されている場合、デコーダ１１３は、制御部１０７によってコンテンツデータのある部分について特殊再生を行う旨の指示が入力されると、図９に示すように、プログラムストリーム９０からユーザ情報を取得するとともに、当該ユーザ情報に記録されている各Ｉピクチャ位置情報を取得し、このＩピクチャ位置情報に基づいてＩピクチャを取得して外部に出力することによって特殊再生を行うようになっている。
【０１９５】
以上により本実施形態によれば、ＤＶＤなどの記録媒体に、当該コンテンツデータのコンテンツ制作者の意図する特殊再生を制御する特殊再生制御情報が組み込まれた前記圧縮されたコンテンツデータを記録することによって、コンテンツデータの特殊再生を行うときに、コンテンツ制作者の意図する特殊再生を制御する特殊再生制御情報に基づいて行うようにすれば、サムネイルを利用した再生や部分再生または早送り再生など様々な特殊再生を行うときに、コンテンツ制作者の意図する特殊再生を行うことができる。
【０１９６】
また、本実施形態では、情報記録再生装置によって、ＤＶＤなどの記録媒体に、前記コンテンツデータのコンテンツ制作者の意図する特殊再生を制御する特殊再生制御情報が組み込まれた前記圧縮されたコンテンツデータを記録することができるとともに、コンテンツデータの特殊再生を行うときに、コンテンツ制作者の意図する特殊再生を制御する特殊再生制御情報に基づいて行うことができるので、サムネイルを利用した再生や部分再生または早送り再生など様々な特殊再生を行うときに、コンテンツ制作者の意図する特殊再生を行うことができる。
【０１９７】
また、ビデオパック自体に特殊再生制御情報が組み込まれているため、プログラムストリームを、データ受信側において、さらにデータ転送を行なう場合、ＭＰＥＧ２方式によって圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【０１９８】
すなわち、コンテンツデータがＭＰＥＧ２方式に圧縮されたプログラムストリームは、通常、ビデオパックおよびオーディオパックなどコンテンツデータが圧縮されたエリアとナビパックのエリアから構成されるため、コンテンツデータの受信側で、さらに、コンテンツデータを転送する場合に、受信側の構成によっては、ナビパックに記録されているデータが的確に転送されない場合も発生する。
【０１９９】
したがって、本実施形態では、ナビパック自体に特殊再生制御情報を組み込むことによって、ナビパックのデータが的確に転送されない場合であっても、当該特殊再生制御情報を的確に転送することができる。
【０２００】
〔第２実施形態〕
本実施形態は、インターネットやデジタル放送などによって伝送されるデジタル画像等のトランスポートストリームを送信するデータ送信装置について本発明を適用した場合の実施形態である。
【０２０１】
まず、図１０を用いてＭＰＥＧ２方式のトランスポートストリームについて説明する。
【０２０２】
なお、図１０は当該ＭＰＥＧ２方式におけるトランスポートストリーム２００のデータ構成を示す図である。
【０２０３】
図１０に示すように、インターネットやデジタル放送などによって伝送されるデジタル画像等のＭＰＥＧ２方式を有するトランスポートストリーム２００は、一定の固定長を有する複数のトランスポートパケット２０１によって構成され、このトランスポートストリーム２００によって複数のプログラムを多重・分離するようになっており、上述したＰＥＳパケットが複数集まってこのトランスポートパケット２０１を構成するようになっている。
【０２０４】
１のトランスポートパケット２０１は、当該トランスポートパケット２０１の開始位置など一般的な情報が含まれる一般情報２１０と、トランスポートストリームの動的な状態変化の情報を提供するアダプテーションフィールド２１１と、実効的なパケットデータであるペイロード２１２とから構成されている。
【０２０５】
一般情報２１０には、パケットの開始表示の情報、当該パケット中のエラーの有無の情報、パケットの重要度を示す情報（トランスポートパケット２０１プライオリティ）、当該ストリームの属性を示す識別情報（ＰＩＤ：Packet  Identification）、並びに、アダプテーションフィールド２１１の有無およびペイロード２１２の有無を示すアダプテーションフィールド制御情報が含まれる。
【０２０６】
また、アダプテーションフィールド２１１は、システムクロックをリセットする不連続インジケータ、ビデオデータまたはオーディオデータのフレームの開始、ペイロード２１２の有無を示す情報（ストリームプライオリティ）および多重化タイミングの移動許容範囲を示す情報を有している。
【０２０７】
ペイロード２１２は、実効的なパケットデータであり、ビデオデータやオーディオデータその他の情報の一部を有している。したがって、例えば、このペイロード２１２の情報を組み立てることによって、ビデオのＰＥＳ（以下、ビデオＰＥＳという）２２０におけるビデオＰＥＳデータ２２１が組み立てられるとともに、当該ビデオＰＥＳデータ２２１によって、第１実施形態と同様のＭＰＥＧビデオストリームＳＴが構築されるようになっている。
【０２０８】
具体的には、トランスポートパケット２０１の一般情報２１０内にあるＰＩＤがプログラムマップにてビデオと指定されたペイロード２１２のデータが集まってビデオＰＥＳデータ２２１を構成するようになっている。
【０２０９】
なお、ビデオＰＥＳ２２０は、実質的なビデオデータを有するビデオＰＥＳデータ２２１とＰＥＳヘッダ２２２とから構成されるようになっている。
【０２１０】
また、この構築されるＭＰＥＧビデオストリームは、第１実施形態と同様に、シーケンス層５０およびＧＯＰ層６０を有するようになっており、このシーケンス層５０およびＧＯＰ層６０については、同一部材には同一番号を付して説明を省略する。
【０２１１】
ペイロード２１２には、Ｉピクチャの一部の情報が記録されているが、勿論、他のトランスパケットにあるペイロード２１２には、Ｂピクチャまたは特殊再生制御情報を記録するユーザ情報の一部が記録されており、トランスポート全体により、各データを伝送するようになっている。
【０２１２】
また、このペイロード２１２には、各ピクチャデータおよびユーザ情報の他に、図示しないストリームのパラメータ情報や連係情報などの制御情報および付加情報（ＰＳＩ：Program Specific Information）の一部、並びに、第１実施形態と同様にオーディオデータおよびサブピクチャデータの一部が記録されており、これらの情報は、他のトランスポートパケット２０１のペイロード２１２に記録された情報とともに、制御情報および付加情報のＰＳＩ情報、オーディオデータ、並びに、サブピクチャデータを構築するようになっている。
【０２１３】
なお、本実施形態では、複数のペイロード２１２によって構築された制御情報および付加情報に基づいてトランスポートストリーム２００を復号・再生するようになっている。
【０２１４】
具体的には、後述するデータ受信装置に、複数の多重化されたプログラムの中から１つ選択させ、選択した個別ストリームのトランスポートパケット２０１のＰＩＤを取得させるとともに、個別ストリームのパラメータ情報や連係情報などの制御情報および付加情報を取得させることによってトランスポートストリーム２００に多重化された１のプログラムを復号・再生するようになっている。
【０２１５】
次に、図１１を用いて上述したトランスポートストリームを送信するデータ送信装置について説明する。
【０２１６】
なお、図１１は、本実施形態のデータ送信装置の構成を示すブロック図である。
【０２１７】
本実施形態のデータ送信装置３００は、コンテンツデータが入力されるインターフェイス部３０１と、入力された映像情報をＭＥＰＥＧ２形式に圧縮するビデオエンコーダ３０２と、入力された音声情報をＭＥＰＥＧ２形式に圧縮するオーディオエンコーダ３０３と、予め設定された特殊再生の態様に基づいて特殊再生用の制御情報を生成する特殊再生制御情報生成部３０４と、トランスポートストリーム２００に特殊再生制御情報を組み込むマルチプレクサ３０５と、トランスポートスリームを所定形式の伝送信号に変換して後述するデータ受信装置にアンテナ３０８を介して送信する送信部３０６と、各部を制御する制御部３０７と、を備えている。
【０２１８】
なお、ビデオエンコーダ３０２、オーディオエンコーダ３０３は、データ圧縮手段を構成し、特殊再生制御情報生成部３０４は、本発明に係る生成手段を構成している。
【０２１９】
また、マルチプレクサ３０５は、本発明に係るデータ圧縮手段およびデータ組込手段を構成し、送信部３０６は、本発明に係る送信手段を構成している。
【０２２０】
インターフェイス部３０１には、外部より所定の形式を有するコンテンツデータが入力されるようになっており、インターフェイス部１０２は、この入力されたコンテンツデータをビデオエンコーダ３０２およびオーディオエンコーダ３０３に出力するようになっている。
【０２２１】
ビデオエンコーダ３０２は、オーディエンコーダ３０３と連係しつつ、映像情報のコンテンツデータが入力されるようになっており、このビデオエンコーダ３０２は、コンテンツデータに対してＭＰＥＧ２方式の圧縮処理を行い、圧縮処理された映像情報、すなわち、映像情報のトランスポートパケット２０１をマルチプレクサ３０５に出力するようになっている。
【０２２２】
オーディオエンコーダ３０３は、ビデオエンコーダ３０２と連係しつつ、音声情報のコンテンツデータが入力されるようになっており、このオーディオエンコーダ３０３は、コンテンツデータに対してＭＰＥＧ２方式の圧縮処理を行い、圧縮処理された音声情報、すなわち、音声情報のトランスポートパケット２０１をマルチプレクサ３０５に出力するようになっている。
【０２２３】
特殊再生制御情報生成部３０４は、制御部３０７の指示に基づいて上述の特殊再生制御情報を生成するようになっており、生成した当該特殊再生制御情報をマルチプレクサ３０５に出力するようになっている。
【０２２４】
例えば、サムネイルを利用した特殊再生の特殊再生制御情報を送信する場合には、特殊再生制御情報生成部３０４は、制御部３０７から出力された制御信号に基づいて図４に示す再生間隔データ、静止画数データ、Ｉピクチャ位置情報を生成し、当該生成した各データをマルチプレクサ３０５に出力するようになっている。
【０２２５】
制御部３０７は、送信すべくコンテンツデータのデータ構成に基づいてビデオエンコーダ３０２およびオーディオエンコーダ３０３の連係を取りつつ、コンテンツデータの各映像情報をおよび音声情報の圧縮処理を制御するとともに、特殊再生制御情報生成部３０４を制御して、当該コンテンツデータに適合する特殊再生制御情報を生成させるようになっている。
【０２２６】
また、制御部３０７は、送信すべくコンテンツデータのＰＳＩ情報を生成するようになっており、この生成したＰＳＩ情報をマルチプレクサ３０５に出力するようになっている。
【０２２７】
マルチプレクサ３０５には、ＭＰＥＧ２方式に圧縮された映像情報および音声情報のトランスポートパケット２０１、特殊再生制御情報、並びに、ＰＳＩ情報が入力されるようになっており、このマルチプレクサ３０５は、入力された映像情報および音声情報のトランスポートパケット２０１およびＰＳＩ情報に基づいてトランスポートストリーム２００を構築するとともに、このトランスポートストリーム２００を構築する際に、特殊再生制御情報を組み込み、この特殊再生制御情報を組み込んだトランスポートストリーム２００を送信部３０６に出力するようになっている。
【０２２８】
送信部３０６には、特殊再生制御情報が組み込まれたトランスポートストリーム２００が入力されるようになっており、この入力されたトランスポートストリーム２００を所定のデータ形式を有する伝送信号に変換してアンテナ３０８を介してデータ受信装置に当該伝送信号を送信するようになっている。
【０２２９】
なお、本実施形態では、トランスポートストリーム２００を、アンテナを介して後述するデータ受信装置に送信するようになっているが、有線により、例えば、インターネット回線を介してデータ受信装置に送信するようにしてもよい。
【０２３０】
次に、図１２を用いて本実施形態のデータ送信装置のコンテンツデータの送信を行う送信動作について説明する。
【０２３１】
なお、特殊再生の再生態様は予め設定されているものとし、図１２は、データ送信装置のデータ送信の動作を示すフローチャートである。
【０２３２】
まず、操作者によってコンテンツデータをデータ受信装置に送信すべき旨の指示が図示しない操作部に入力され、送信すべきコンテンツデータがインターフェイス部３０１に入力されると（ステップＳ１１）、ビデオエンコーダ３０２およびオーディオエンコーダ３０３によって入力されたコンテンツデータの映像情報または音声情報が、それぞれ、ＭＰＥＧ２方式に圧縮され、トランスポートパケット２０１に変換されマルチプレクサ３０５に出力される（ステップＳ１２）。
【０２３３】
その一方、制御部３０７によって生成されたＰＳＩ情報がマルチプレクサ３０５に出力される（ステップＳ１３）。
【０２３４】
次いで、特殊再生制御情報生成部３０４によって予め設定された特殊再生の再生態様に基づいて特殊再生制御情報が生成され、マルチプレクサ３０５に出力する（ステップＳ１４）。
【０２３５】
次いで、デマルチプレクサ３０５によって、入力されたトランスポートパケット２０１およびＰＳＩ情報に基づいてトランスポートストリーム２００が生成されるとともに（ステップＳ１５）、生成されたトランスポートストリーム２００のユーザ情報のエリアに特殊再生制御情報が組み込まれ、この特殊再生制御情報が組み込まれたトランスポートストリーム２００が送信部３０６に出力される（ステップＳ１６）。
【０２３６】
具体的には、この特殊再生制御情報には、特殊再生制御情報の有無を示す特殊再生識別コードの他、サムネイルを利用した特殊再生制御情報の場合には、再生モード、再生間隔データ、静止画数データおよびＩピクチャ位置情報が含まれるとともに、部分再生を行う特殊再生制御情報の場合には、再生順情報、画像フレームの位置情報、再生時間情報が含まれるので、当該各情報をトランスポート２００に組み込む。
【０２３７】
また、当該特殊再生制御情報を分散配置する場合には、当該特殊再生制御情報として、他の特殊再生制御情報の位置を示すリンク情報をトランスポートストリーム２００に組み込む。
【０２３８】
次いで、送信部３０６によって、トランスポートストリーム２００が所定のデータ形式を有する伝送信号に変換され、アンテナ３０８を介してデータ受信装置に送信される（ステップＳ１７）。
【０２３９】
なお、本動作は、図示しない動作終了の旨の入力が為されたとき、または、送信するトランスポートストリームが最後まで送信されたときに本動作は終了する。
【０２４０】
このように、本実施形態では、コンテンツデータをトランスポートストリームに変換してデータ受信装置に送信するようになっており、図示しない操作部によりトランスポートストリームの送信中止命令、または、送信すべきトランスポートストリームのデータが終了した際に本データ送信の動作は終了する。
【０２４１】
以上により本実施形態によれば、コンテンツデータのコンテンツ制作者の意図する特殊再生を制御する特殊再生制御情報が組み込まれたトランスポートストリームを送信することができるので、受信側において、コンテンツデータの特殊再生を行うときに、コンテンツ制作者の意図する特殊再生を制御する特殊再生制御情報に基づいて行うようにすれば、サムネイルを利用した再生や部分再生または早送り再生など様々な特殊再生を行うときに、コンテンツ制作者の意図する特殊再生を行うことができる。
【０２４２】
また、フレーム画像データを転送するデータ（ＧＯＰ）に特殊再生制御情報を組み込んでいるため、当該トランスポートストリームを、後述するデータ受信装置において、さらにデータ転送を行う場合、ＭＰＥＧ２方式によって圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【０２４３】
すなわち、コンテンツデータがＭＰＥＧ２方式に圧縮されたトランスポートストリームは、通常、フレーム画像データが圧縮されたＧＯＰと制御情報または付加情報などのＰＳＩ情報を有するＧＯＰとから構成されるため、データ受信装置で、さらに、トランスポートストリームを転送する場合に、データ受信装置の構成によっては、ＰＳＩ情報を有するＧＯＰに記録されているデータが的確に転送されない場合も発生する。
【０２４４】
したがって、本実施形態では、フレーム画像データと同じＧＯＰに特殊再生制御情報を組み込むことによって、ＰＳＩ情報が的確に転送されない場合であっても、当該特殊再生制御情報を的確に転送することができる。
【０２４５】
〔第３実施形態〕
本実施形態は、インターネットやデジタル放送などによって伝送されるデジタル画像等のトランスポートストリームを受信するデータ受信装置について本発明を適用した場合の実施形態である。
【０２４６】
なお、本実施形態では、第２実施形態で示されたＭＰＥＧ２方式のトランスポートストリームを受信するようになっており、トランスポートストリームの構成は第２実施形態と同様であるため、同一部材には同一番号を付して説明を省略する。
【０２４７】
次に、図１３および図１４を用いて上述したトランスポートストリームを送信するデータ送信装置について説明する。
【０２４８】
なお、図１３は、本実施形態のデータ受信装置の構成を示すブロック図であり、図１４は、本実施形態の特殊再生制御情報における記録媒体が特殊再生を行う際のトランスポートストリームとユーザ情報との関係を示す一例である。
【０２４９】
本実施形態のデータ送信装置４００は、アンテナ４０１を介して所定形式の伝送信号を受信し、トランスポートストリーム２００に変換する受信部４０２と、受信したトランスポートストリーム２００から特殊再生制御情報を抽出するデマルチプレクサ４０３と、トランスポートストリーム２００から映像情報または音声情報を抽出し、当該映像情報をおよび音声情報を再生するビデオデコーダ４０４およびオーディオデコーダ４０５と、ビデオデコーダ４０４およびオーディオデコーダ４０５を制御する制御部４０６と、を備えている。
【０２５０】
なお、受信部４０２は、本発明に係る受信手段を構成し、デマルチプレクサ４０３および制御部４０６は、本発明に係る取得手段および再生手段を構成している。
【０２５１】
受信部４０２には、アンテナ４０１を介し所定形式の伝送信号が入力されるようになっており、この受信部４０２は、入力された伝送信号を変換してトランスポートストリーム２００に変換し、当該デマルチプレクサ４０３に出力するようになっている。
【０２５２】
デマルチプレクサ４０３には、受信部４０２にいて受信したトランスポートストリーム２００が入力されるようになっており、このデマルチプレクサ４０３は、入力されたトランスポートストリーム２００の映像情報の部分をビデオデコーダ４０４に出力するとともに、音声情報の部分をオーディオデコーダ４０５に出力するようになっている。
また、デマルチプレクサ４０３は、入力されたトランスポートストリーム２００から当該トランスポートストリーム２００に組み込まれたＰＳＩ情報、特に、特殊再生制御情報を抽出し、この抽出したＰＳＩ情報および特殊再生制御情報を制御部４０６に出力するようになっている。
【０２５３】
ビデオデコーダ４０４には、トランスポートストリーム２００の映像情報の部分、すなわち、映像情報がペイロード２１２に記録されているトランスポートパケット２０１が入力されるようになっており、このビデオデコーダ４０４は、制御部４０６の制御に基づいて入力されたトランスポートパケット２０１を復号して映像情報を生成して表示部その他の外部装置出力するようになっている。
【０２５４】
例えば、サムネイルを利用した特殊再生を行う場合には、ビデオデコーダ４０４は、制御部４０６の指示に基づいて該当するＩピクチャのデータを各ペイロード２１２から取得するとともに、組み立てて外部に出力するようになっている。
【０２５５】
オーディオデコーダ４０５には、ビデオデコーダ４０４と同様に、トランスポートストリーム２００の音声情報の部分、すなわち、音声情報がペイロード２１２に記録されているトランスポートパケット２０１が入力されるようになっており、このオーディオデコーダ４０５は、制御部４０６の制御に基づいて入力されたトランスポートパケット２０１を復号して音声情報を生成して表示部その他の外部装置出力するようになっている。
【０２５６】
特に、オーディデコーダは、制御部４０６によって特殊再生を行うよう指示されたときは、制御部４０６によって指示されたＩピクチャに対応する音声情報を各ペイロード２１２から取得するとともに、当該音声情報を組み立てて外部に出力するようになっている。
【０２５７】
制御部４０６には、ＰＳＩ情報および特殊再生制御情報が入力されるようになっており、この制御部４０６は、図示しない操作部の操作および入力されたＰＳＩ情報および特殊再生制御情報に基づいてビデオデコーダ４０４およびオーディオデコーダ４０５を制御して、通常の映像情報および音声情報の再生または特殊再生を制御するようになっている。
【０２５８】
例えば、制御部４０６は、特殊再生制御を行う場合、図１４に示すように、取得した特殊再生制御情報からＩピクチャ位置情報を取得し、このＩピクチャ位置情報に基づいてビデオデコーダ４０４を制御するとともに、当該Ｉピクチャに該当する音声情報を出力するようオーディデコーダ４０５を制御するようになっている。
【０２５９】
具体的には、本実施形態では、第１実施形態と同様に、ビデオＰＥＳは、トランスポートパケットが複数個組み合わされて構成されているので、Ｉピクチャ位置情報に基づいて対応する各トランスポートパケットからＩピクチャの画像フレームデータを取得するとともに、当該Ｉピクチャを組み立て外部に出力するようになっている。
【０２６０】
次に、図１５を用いて本実施形態のデータ受信装置のトランスポートストリームのデータ受信を行うとともに、特殊再生の動作について説明する。
【０２６１】
なお、本動作は、サムネイルを利用した特殊再生を行う場合について説明する。
また、図１５は、本実施形態の特殊再生の動作を示すフローチャートである。
【０２６２】
まず、操作者によってコンテンツデータの特殊再生をすべき旨（サムネイルを利用した特殊再生）の指示が図示しない操作部に入力され、所定形式の伝送信号の受信を開始すると（ステップＳ２１）、受信部４０２によって、入力された伝送信号がトランスポートストリーム２００に変換され、当該トランスポートストリーム２００がデマルチプレクサ４０３に出力される（ステップＳ２２）。
【０２６３】
次いで、デマルチプレクサ４０３によって、入力されたトランスポートストリーム２００の映像情報の部分および音声情報の部分がビデオデコーダ４０４およびオーディオデコーダ４０５に出力されるとともに、ＰＳＩ情報および特殊再生制御情報が制御部４０６に出力される（ステップＳ２３）。
【０２６４】
次いで、制御部４０６によって、識別コードによってサムネイルを利用した特殊再生を行う場合の特殊再生制御情報が記録されていることを判断する（ステップＳ２４）。
【０２６５】
特殊再生制御情報が記録されていないと判断された場合には、本動作を中止して動作を終了させる。
【０２６６】
一方、当該特殊再生制御情報が記録されていると判断した場合には、制御部４０６によって、当該特殊再生制御情報に基づいてＩピクチャ位置情報が取得されるとともに（ステップＳ２５）、このＩピクチャ位置情報に基づいてビデオデコーダ４０４およびオーディオデコーダ４０５の制御が開始され（ステップＳ２６）、特殊再生が行われる。
【０２６７】
具体的には、ビデオデコーダ４０４は、このＩピクチャ位置情報に基づいて当該Ｉピクチャのデータを取得して表示装置その他の外部装置に出力するとともに、オーディオデコーダ４０５は、該当するＩピクチャの音声を外部装置に出力するようになっている。
【０２６８】
なお、本動作は、図示しない動作終了の旨の入力が為されたとき、または、特殊再生するフレーム画像データが最後まで再生されたときに本動作は終了する。
【０２６９】
このように、本実施形態では、トランスポートストリームを受信するとともに、当該受信したトランスポートストリームからコンテンツデータを抽出するとともに、特殊再生制御情報その他の制御情報を抽出してコンテンツデータの再生および特殊再生を行うようになっており、図示しない操作部によりトランスポートストリームの再生中止命令、または、受信すべきトランスポートストリームのデータの受信が終了した際に本データ受信動作は終了する。
【０２７０】
なお、本実施形態では、サムネイルを利用した特殊再生を行う場合における特殊再生の動作について説明したが、部分再生を行う場合には、ステップＳ２４において、識別コードによって部分再生に関する特殊再生制御情報が記録されているか否か判断し、ステップＳ２５において、部分再生を行う画像フレームの位置情報および再生時間情報を取得するとともに、ステップＳ２６において、当該各情報に基づいて特殊再生を行うようになっている。
【０２７１】
以上により本実施形態によれば、コンテンツデータのコンテンツ制作者の意図する特殊再生を制御する特殊再生制御情報が組み込まれたトランスポートストリームを受信したときに、コンテンツ制作者の意図する特殊再生を制御する特殊再生制御情報に基づいて特殊再生を行うことができるので、サムネイルを利用した再生や部分再生または早送り再生など様々な特殊再生を行うときに、コンテンツ制作者の意図する特殊再生を行うことができる。
【０２７２】
また、フレーム画像データを転送するデータ（ＧＯＰ）に特殊再生制御情報を組み込んでいるため、当該トランスポートストリームを、データ受信装置において、さらにデータ転送を行なう場合、ＭＰＥＧ２方式によって圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【０２７３】
すなわち、コンテンツデータがＭＰＥＧ２方式に圧縮されたトランスポートストリームは、通常、フレーム画像データが圧縮されたＧＯＰと制御情報または付加情報などのＰＳＩ情報を有するＧＯＰとから構成されるため、データ受信装置で、さらに、トランスポートストリームを転送する場合に、当該データ受信装置の構成によっては、ＰＳＩ情報を有するＧＯＰに記録されているデータが的確に転送されない場合も発生する。
【０２７４】
したがって、本実施形態では、フレーム画像データと同じＧＯＰに特殊再生制御情報を組み込むことによって、ＰＳＩ情報が的確に転送されない場合であっても、当該特殊再生制御情報を的確に転送することができる。
【０２７５】
【発明の効果】
以上説明したように、本発明によれば、したがって、コンテンツデータの受信側において、圧縮されたコンテンツデータを復号するとともに、特殊再生を行う際に、この特殊再生制御情報に基づいてコンテンツデータの特殊再生を行うよう制御すれば、サムネイルを利用した再生や部分再生または早送り再生など様々な特殊再生を行うことができるとともに、このような特殊再生を行う場合であっても、コンテンツ制作者の意図を反映させることができる。
【０２７６】
また、データ圧縮後のコンテンツデータ自体に特殊再生制御情報を組み込んでいるため、当該コンテンツデータをデータ受信側において、さらにデータ転送を行っても、コンテンツデータが圧縮された状態を維持しつつ転送すれば、特殊再生制御情報が消滅することなく、当該特殊再生制御情報を転送することができるとともに、当該特殊再生制御情報の存在によって影響を与えることなくコンテンツデータの再生を行うことができる。
【図面の簡単な説明】
【図１】当該記録媒体にコンテンツデータが記録される際のＤＶＤビデオ規格の物理フォーマットを示す図である。
【図２】記録媒体にコンテンツデータが記録される際のＤＶＤビデオ規格のＧＯＰの構成を示す図である。
【図３】本発明に係る第１実施形態を示す図であり、ＭＰＥＧビデオストリームのデータ構造を示すとともに、当該データ構造とＧＯＰの関係を示した図である。
【図４】本発明に係る第１実施形態を示す図であり、コンテンツデータが記録される際のＤＶＤビデオ規格のユーザ情報のデータ構成を示す図（サムネイル画像を利用した再生）である。
【図５】本発明に係る第１実施形態を示す図であり、コンテンツデータが記録される際のＤＶＤビデオ規格のユーザ情報のデータ構成（部分再生）を示す図である。
【図６】本発明に係る第１実施形態を示す図であり、コンテンツデータが記録される際のＤＶＤビデオ規格のユーザ情報のデータ構成（リンク情報を付加した場合のサムネイル画像を利用した再生）を示す図である。
【図７】コンテンツデータが記録される際のＭＰＥＧビデオ規格の論理フォーマットを示す図である。
【図８】本発明に係る第１実施形態を示す図であり、記録媒体にコンテンツデータの記録および記録媒体からコンテンツデータの再生を行う情報記録再生装置の構成を示す図である。
【図９】本発明に係る第１実施形態を示す図であり、記録媒体を用いて特殊再生を行う際のプログラムストリームとユーザ情報との関係を示す一例である。
【図１０】本発明に係る第２実施形態を示す図であり、トランスポートストリームのデータ構造を示すとともに、当該データ構造とＧＯＰの関係を示した図である。
【図１１】本発明に係る第２実施形態を示す図であり、特殊再生を行うことが可能なデータ送信装置のブロック図である。
【図１２】本発明に係る第２実施形態を示す図であり、データ送信装置がデータ受信装置に送信する際の送信動作を示すフローチャートである。
【図１３】本発明に係る第３実施形態を示す図であり、特殊再生を行うことが可能なデータ送信装置のブロック図である。
【図１４】本発明に係る第３実施形態を示す図であり、特殊再生制御情報における記録媒体が特殊再生を行う際のトランスポートストリームとユーザ情報との関係を示す一例である。
【図１５】本発明に係る第３実施形態を示す図であり、データ受信装置が受信の動作（特殊再生動作）を示すフローチャートである。
【符号の説明】
１  …ＤＶＤ
２  …ビデオマネージャ
３、８３  …ＶＴＳ
４  …リューム情報
５  …ファイルシステム情報
１１…コントロールデータ
２０…セル
３０…ＶＯＢユニット
４１…ナビパック
４２…ビデオデータ（ビデオパック）
４３…オーディオデータ（オーディオパック）
４４…サブピクチャデータ
５０…シーケンス層
５１…シーケンスヘッダ
５２…一般情報
６０…ＧＯＰ（ＧＯＰ層）
６１…ＧＯＰヘッダ
６２…制御情報
６３…拡張情報
６４…ユーザ情報
６５…画像フレームデータ
７０…特殊再生制御情報
８０…プログラム
８１…ＰＧＣ
８２…タイトル
９０…プログラムストリーム（コンテンツデータ）
１００…情報記録再生装置
１０１…ピックアップ
１０２、３０１…インターフェイス
１０３…エンコーダ
１０４、３０４…特殊再生制御情報生成部（生成手段）
１０５、３０５…マルチプレクサ（データ組込手段）
１０６…暗号化部
１０７…変調部
１０８、３０７、４０６…制御部（取得手段）
１０９…アンプ
１１０…復調部
１１１…復号化部
１１２、４０３…デマルチプレクサ（取得手段）
１１３…デコーダ
２００…トランスポートストリーム（コンテンツデータ）
２０１…トランスポートパケット
２１０…一般情報
２１１…アダプテーションフィールド
２１２…ペイロード
３００…データ送信装置
３０２…ビデオエンコーダ（データ圧縮手段）
３０３…オーディオエンコーダ（データ圧縮手段）
３０６…送信部（送信手段）
３０７、４０１…アンテナ
４００…データ受信装置
４０２…受信部（受信手段）
４０４…ビデオデコーダ
４０５…オーディオデコーダ
【図１】
0003929351.tif 000002
【図２】
0003929351.tif 000003
【図３】
0003929351.tif 000004
【図４】
0003929351.tif 000005
【図５】
0003929351.tif 000006
【図６】
0003929351.tif 000007
【図７】
0003929351.tif 000008
【図８】
0003929351.tif 000009
【図９】
0003929351.tif 000010
【図１０】
0003929351.tif 000011
【図１１】
0003929351.tif 000012
【図１２】
0003929351.tif 000013
【図１３】
0003929351.tif 000014
【図１４】
0003929351.tif 000015
【図１５】
0003929351.tif 000016